(57)【特許請求の範囲】
【請求項１】
方法であって、
無線通信システムにおける通信のために構成された複数のキャリアを識別することと、
前記複数のキャリアにおける１または複数の第１のキャリアに関連付けられたダウンリンク送信割当の数を判定することと、
前記複数のキャリアにおける少なくとも１または複数の第２のキャリアによる通信のために、前記少なくとも１または複数の第１のキャリアに関連付けられたダウンリンク送信割当の数を指定する少なくとも１つのインジケーションを設定することとを備え、
前記１または複数の第２のキャリアは、ダウンリンクのキャリアであり、前記１または複数の第１のキャリアとは異なり、
前記少なくとも１つのインジケーションは、ダウンリンク割当インデクス（ＤＡＩ）シグナリングを備え、前記ＤＡＩシグナリングは、時間ベースのＤＡＩと、周波数ベースのＤＡＩとを備え、
前記時間ベースのＤＡＩは、バンドリング・ウィンドウ内のダウンリンク送信割当の合計数を示し、
前記周波数ベースのＤＡＩは、前記バンドリング・ウィンドウに少なくとも１つのダウンリンク送信割当を有するダウンリンクのキャリアの合計数を示し、
前記バンドリング・ウィンドウは、フィードバック通信のために、少数のアップリンク・サブフレームに割り当てられたダウンリンク・サブフレームのグループである、方法。
【請求項２】
前記設定することは、前記１または複数の第１のキャリアを、前記１または複数の第１のキャリアに関連付けられたダウンリンク送信割当の数に関連付けるインデクス情報を含むように、前記少なくとも１つのインジケーションを設定することを備える、請求項１に記載の方法。
【請求項３】
前記インデクス情報は、キャリア・インデクス・フィールド（ＣＩＦ）を備える、請求項２に記載の方法。
【請求項４】
前記設定することは、前記少なくとも１または複数の第１のキャリアに関連付けられたダウンリンク送信割当の合計数、または、前記少なくとも１または複数の第１のキャリアに関連付けられたダウンリンク送信割当の累積数、のうちの１または複数を指定するように、前記少なくとも１つのインジケーションを設定することを備える、請求項１に記載の方法。
【請求項５】
前記設定することは、前記１または複数の第１のキャリアと、前記１または複数の第２のキャリアとに関連付けられた、ダウンリンク送信割当の合計数を指定するように、前記少なくとも１つのインジケーションを設定する、請求項１に記載の方法。
【請求項６】
ダウンリンク送信割当またはアップリンク送信割当のうちの少なくとも１つによって、前記少なくとも１つのインジケーションを送信することをさらに備える、請求項１に記載の方法。
【請求項７】
前記設定することは、前記複数のキャリアにおけるそれぞれのキャリアに関連付けられたダウンリンク送信割当の数を指定するように、複数のインジケーションを設定することを備え、
前記それぞれのキャリアは、前記１または複数のキャリアを含む、請求項１に記載の方法。
【請求項８】
少なくとも１つの制御信号によって、前記複数のインジケーションを送信することをさらに備える、請求項７に記載の方法。
【請求項９】
前記設定することはさらに、インジケーション毎の符号化、または、統合符号化のうちの１つを用いて、前記少なくとも１つの制御信号における送信のために、前記複数のインジケーションを符号化することを備える、請求項８に記載の方法。
【請求項１０】
前記設定することは、前記複数のキャリアにおける実質的にすべてのキャリアに関連付けられたダウンリンク送信割当の数を指定するように、前記少なくとも１つのインジケーションを設定することを備える、請求項１に記載の方法。
【請求項１１】
前記判定することは、前記１または複数の第１のキャリアに関連付けられたダウンリンク制御信号送信割当の数、または、前記１または複数の第１のキャリアに関連付けられたダウンリンク・データ送信割当の数のうちの少なくとも１つを判定することを備える、請求項１に記載の方法。
【請求項１２】
無線通信装置であって、
無線通信システムにおける通信のために構成された複数のキャリアに関連するデータを格納するメモリと、
前記複数のキャリアにおける１または複数の第１のキャリアに関連付けられたダウンリンク送信割当の数を判定し、前記複数のキャリアにおける１または複数の第２のキャリアによる通信のために、前記少なくとも１または複数の第１のキャリアに関連付けられたダウンリンク送信割当の数を指定する、少なくとも１つのインジケーションを設定する、ように構成されたプロセッサとを備え、
前記１または複数の第２のキャリアは、ダウンリンクのキャリアであり、前記１または複数の第１のキャリアとは異なり、
前記少なくとも１つのインジケーションは、ダウンリンク割当インデクス（ＤＡＩ）シグナリングを備え、前記ＤＡＩシグナリングは、時間ベースのＤＡＩと、周波数ベースのＤＡＩとを備え、
前記時間ベースのＤＡＩは、バンドリング・ウィンドウ内のダウンリンク送信割当の合計数を示し、
前記周波数ベースのＤＡＩは、前記バンドリング・ウィンドウに少なくとも１つのダウンリンク送信割当を有するダウンリンクのキャリアの合計数を示し、
前記バンドリング・ウィンドウは、フィードバック通信のために、少数のアップリンク・サブフレームに割り当てられたダウンリンク・サブフレームのグループである、無線通信装置。
【請求項１３】
前記プロセッサはさらに、前記１または複数の第１のキャリアを、前記１または複数の第１のキャリアに関連付けられたダウンリンク送信割当の数に関連付けるインデクス情報を含むように、前記少なくとも１つのインジケーションを設定するように構成された、請求項１２に記載の無線通信装置。
【請求項１４】
前記プロセッサはさらに、前記１または複数の第１のキャリアと、前記１または複数の第２のキャリアとに関連付けられた、ダウンリンク送信割当の合計数を指定するように、前記少なくとも１つのインジケーションを設定するように構成された、請求項１２に記載の無線通信装置。
【請求項１５】
前記プロセッサはさらに、前記複数のキャリアにおけるそれぞれのキャリアに関連付けられたダウンリンク送信割当の数を指定するように、複数のインジケーションを設定するように構成され、
前記それぞれのキャリアは、前記１または複数の第１のキャリアを含む、請求項１２に記載の無線通信装置。
【請求項１６】
装置であって、
無線通信システムに関連付けられた複数のキャリアと、前記複数のキャリアにおける少なくとも１つの第１のキャリアと、前記複数のキャリアにおける少なくとも１つの第２のキャリアとを識別する手段と、
前記少なくとも１つの第１のキャリアに適用されたダウンリンク送信割当の数に関連する情報を取得する手段と、
前記少なくとも１つの第１のキャリアに適用されたダウンリンク送信割当の数を指定する、少なくとも１つの第２のキャリアにおける送信のためのダウンリンク割当インデクス（ＤＡＩ）を生成する手段とを備え、
前記１または複数の第２のキャリアは、ダウンリンクのキャリアであり、前記１または複数の第１のキャリアとは異なり、
前記ＤＡＩは、時間ベースのＤＡＩと、周波数ベースのＤＡＩとを備え、
前記時間ベースのＤＡＩは、バンドリング・ウィンドウ内のダウンリンク送信割当の合計数を示し、
前記周波数ベースのＤＡＩは、前記バンドリング・ウィンドウに少なくとも１つのダウンリンク送信割当を有するダウンリンクのキャリアの合計数を示し、
前記バンドリング・ウィンドウは、フィードバック通信のために、少数のアップリンク・サブフレームに割り当てられたダウンリンク・サブフレームのグループである、装置。
【請求項１７】
前記生成する手段は、前記少なくとも１つの第１のキャリアを識別するキャリア・インデクス・フィールド（ＣＩＦ）を、前記ＤＡＩに関連付ける手段を備える、請求項１６に記載の装置。
【請求項１８】
前記生成する手段は、前記少なくとも１つの第１のキャリアと前記少なくとも１つの第２のキャリアとに適用された、ダウンリンク送信割当の合計数を指定するＤＡＩを生成する手段を備える、請求項１６に記載の装置。
【請求項１９】
前記生成する手段は、前記複数のキャリアのうちの１または複数のキャリアの対応するそれぞれのセットに適用されたそれぞれのダウンリンク送信割当の数を指定する複数のＤＡＩを生成する手段を備える、請求項１６に記載の装置。
【請求項２０】
コンピュータ・プログラムであって、
コンピュータに対して、
無線通信システムに関連付けられた複数のキャリアと、前記複数のキャリアにおける少なくとも１つの第１のキャリアと、前記複数のキャリアにおける少なくとも１つの第２のキャリアとを識別するためのコードと、ここで、前記１または複数の第２のキャリアは、ダウンリンクのキャリアであり、前記１または複数の第１のキャリアとは異なり、
前記少なくとも１つの第１のキャリアに適用されたダウンリンク送信割当の数に関連する情報を取得するためのコードと、
前記少なくとも１つの第１のキャリアに適用されたダウンリンク送信割当の数を指定する、前記少なくとも１つの第２のキャリアにおける送信のためのダウンリンク割当インデクス（ＤＡＩ）を生成するためのコードと、ここで、前記ＤＡＩは、時間ベースのＤＡＩと、周波数ベースのＤＡＩとを備え、前記時間ベースのＤＡＩは、バンドリング・ウィンドウ内のダウンリンク送信割当の合計数を示し、前記周波数ベースのＤＡＩは、前記バンドリング・ウィンドウに少なくとも１つのダウンリンク送信割当を有するダウンリンクのキャリアの合計数を示し、前記バンドリング・ウィンドウは、フィードバック通信のために、少数のアップリンク・サブフレームに割り当てられたダウンリンク・サブフレームのグループである、
を実行させるためのコンピュータ・プログラム。
【請求項２１】
方法であって、
無線通信ネットワークとの通信のために構成された複数のキャリアを識別することと、
前記複数のキャリアにおける少なくとも１または複数の第１のキャリアによって、前記無線通信ネットワークから送信割当シグナリングを取得することと、
前記送信割当シグナリングに基づいて、前記複数のキャリアにおける少なくとも１または複数の第２のキャリアに関連付けられたダウンリンク送信割当の数を判定することと、
を備え、
前記１または複数の第２のキャリアは、ダウンリンクのキャリアであり、前記１または複数の第１のキャリアとは異なり、
前記判定することは、前記送信割当シグナリングにおいて提供されたダウンリンク割当インデクス（ＤＡＩ）シグナリングに基づいて、前記少なくとも１または複数の第２のキャリアに関連付けられたダウンリンク送信割当の数を判定することを備え、
前記ＤＡＩシグナリングは、時間ベースのＤＡＩと、周波数ベースのＤＡＩとを備え、
前記時間ベースのＤＡＩは、バンドリング・ウィンドウ内のダウンリンク送信割当の合計数を示し、
前記周波数ベースのＤＡＩは、前記バンドリング・ウィンドウに少なくとも１つのダウンリンク送信割当を有するダウンリンクのキャリアの合計数を示し、
前記バンドリング・ウィンドウは、フィードバック通信のために、少数のアップリンク・サブフレームに割り当てられたダウンリンク・サブフレームのグループである、方法。
【請求項２２】
前記判定することは、前記送信割当シグナリングにおいて提供されたインデクス情報によって、前記１または複数の第２のキャリアを識別することを備える、請求項２１に記載の方法。
【請求項２３】
前記インデクス情報は、キャリア・インデクス・フィールド（ＣＩＦ）を備える、請求項２２に記載の方法。
【請求項２４】
前記判定することは、前記少なくとも１または複数の第２のキャリアに関連付けられたダウンリンク送信割当の合計数、または、前記少なくとも１または複数の第２のキャリアに関連付けられたダウンリンク送信割当の累積数、のうちの１または複数を判定することを備える、請求項２１に記載の方法。
【請求項２５】
前記判定することは、前記送信割当シグナリングに基づいて、前記１または複数の第１のキャリアと、前記１または複数の第２のキャリアとに関連付けられた、ダウンリンク送信割当の合計数を判定することを備える、請求項２１に記載の方法。
【請求項２６】
前記送信割当シグナリングは、ダウンリンク送信割当またはアップリンク送信割当のうちの少なくとも１つを備える、請求項２１に記載の方法。
【請求項２７】
前記判定することは、前記送信割当シグナリングに基づいて、前記複数のキャリアにおけるそれぞれのキャリアに関連付けられたダウンリンク送信割当の複数の数を判定することを備え、
前記それぞれのキャリアは、前記１または複数の第２のキャリアを含む、請求項２１に記載の方法。
【請求項２８】
前記取得することは、前記送信割当シグナリングを含む少なくとも１つの制御信号を取得することを備える、請求項２７に記載の方法。
【請求項２９】
前記ダウンリンク送信割当の複数の数は、個別の符号化または統合符号化のうちの少なくとも１つによって、前記少なくとも１つの制御信号において符号化される、請求項２８に記載の方法。
【請求項３０】
前記判定することは、前記送信割当シグナリングに基づいて、前記複数のキャリアにおける実質的にすべてのキャリアに関連付けられたダウンリンク送信割当の数を判定することを備える、請求項２１に記載の方法。
【請求項３１】
前記判定することは、前記送信割当シグナリングに基づいて、ダウンリンク制御信号送信割当の数、または、前記１または複数の第２のキャリアに関連付けられたダウンリンク・データ送信割当の数のうちの少なくとも１つを判定することを備える、請求項２１に記載の方法。
【請求項３２】
無線通信装置であって、
無線通信ネットワークとの通信のために構成された複数のキャリアに関連するデータを格納するメモリと、
前記複数のキャリアにおける少なくとも１または複数の第１のキャリアによって、前記無線通信ネットワークから送信割当シグナリングを取得し、前記送信割当シグナリングに基づいて、前記複数のキャリアにおける少なくとも１または複数の第２のキャリアに関連付けられたダウンリンク送信割当の数を判定するように構成されたプロセッサとを備え、
前記１または複数の第２のキャリアは、ダウンリンクのキャリアであり、前記１または複数の第１のキャリアとは異なり、
前記判定することは、前記送信割当シグナリングにおいて提供されたダウンリンク割当インデクス（ＤＡＩ）シグナリングに基づいて、前記少なくとも１または複数の第２のキャリアに関連付けられたダウンリンク送信割当の数を判定することを備え、
前記ＤＡＩシグナリングは、時間ベースのＤＡＩと、周波数ベースのＤＡＩとを備え、
前記時間ベースのＤＡＩは、バンドリング・ウィンドウ内のダウンリンク送信割当の合計数を示し、
前記周波数ベースのＤＡＩは、前記バンドリング・ウィンドウに少なくとも１つのダウンリンク送信割当を有するダウンリンクのキャリアの合計数を示し、
前記バンドリング・ウィンドウは、フィードバック通信のために、少数のアップリンク・サブフレームに割り当てられたダウンリンク・サブフレームのグループである、無線通信装置。
【請求項３３】
前記プロセッサはさらに、前記送信割当シグナリングにおいて提供されたインデクス情報によって、前記１または複数の第２のキャリアを識別するように構成された、請求項３２に記載の無線通信装置。
【請求項３４】
前記プロセッサはさらに、前記送信割当シグナリングに基づいて、前記１または複数の第１のキャリアと、前記１または複数の第２のキャリアとに関連付けられた、ダウンリンク送信割当の合計数を判定するように構成された、請求項３２に記載の無線通信装置。
【請求項３５】
前記プロセッサはさらに、前記送信割当シグナリングに基づいて、前記複数のキャリアにおけるそれぞれのキャリアに関連付けられたダウンリンク送信割当の複数の数を判定するように構成され、
前記それぞれのキャリアは、前記１または複数の第２のキャリアを含む、請求項３２に記載の無線通信装置。
【請求項３６】
装置であって、
無線通信ネットワークとの通信のために指定された複数のキャリアと、前記複数のキャリアにおける少なくとも１つの第１のキャリアと、前記複数のキャリアにおける少なくとも１つの第２のキャリアとを識別する手段と、
前記少なくとも１つの第１のキャリアにおいて、前記無線通信ネットワークから１または複数のダウンリンク割当インデクス（ＤＡＩ）を取得する手段と、
前記１または複数のＤＡＩに基づいて、前記少なくとも１つの第２のキャリアに適用されたダウンリンク送信割当の数を判定する手段とを備え、
前記１または複数の第２のキャリアは、ダウンリンクのキャリアであり、前記１または複数の第１のキャリアとは異なり、
前記１または複数のＤＡＩは、時間ベースのＤＡＩと、周波数ベースのＤＡＩとを含み、
前記時間ベースのＤＡＩは、バンドリング・ウィンドウ内のダウンリンク送信割当の合計数を示し、
前記周波数ベースのＤＡＩは、前記バンドリング・ウィンドウに少なくとも１つのダウンリンク送信割当を有するダウンリンクのキャリアの合計数を示し、
前記バンドリング・ウィンドウは、フィードバック通信のために、少数のアップリンク・サブフレームに割り当てられたダウンリンク・サブフレームのグループである、装置。
【請求項３７】
前記判定する手段は、
前記１または複数のＤＡＩにおけるキャリア・インデクス・フィールド（ＣＩＦ）を識別する手段と、
前記ＣＩＦに基づいて前記少なくとも１つの第２のキャリアを識別する手段とを備える、請求項３６に記載の装置。
【請求項３８】
前記判定する手段は、前記１または複数のＤＡＩに基づいて、前記少なくとも１つの第１のキャリアと、前記少なくとも１つの第２のキャリアとに適用されたダウンリンク送信割当の合計数を判定する手段を備える、請求項３６に記載の装置。
【請求項３９】
前記取得する手段は、複数のＤＡＩを取得する手段を備え、
前記判定する手段は、前記少なくとも１つの第２のキャリアを含む複数のキャリアにおけるそれぞれのキャリアに適用された複数のＤＡＩにおけるそれぞれのＤＡＩから、ダウンリンク送信割当のそれぞれの数を識別する手段を備える、請求項３６に記載の装置。
【請求項４０】
コンピュータ・プログラムであって、
コンピュータに対して、
無線通信ネットワークとの通信のために指定された複数のキャリアと、前記複数のキャリアにおける少なくとも１つの第１のキャリアと、前記少なくとも１つの第１のキャリアとは異なる、前記複数のキャリアにおける少なくとも１つの第２のキャリアとを識別するためのコードと、ここで、前記１または複数の第２のキャリアは、ダウンリンクのキャリアであり、前記１または複数の第１のキャリアとは異なり、
前記少なくとも１つの第１のキャリアにおいて、前記無線通信ネットワークから１または複数のダウンリンク割当インデクス（ＤＡＩ）を取得するためのコードと、ここで、前記１または複数のＤＡＩは、時間ベースのＤＡＩと、周波数ベースのＤＡＩとを含み、前記時間ベースのＤＡＩは、バンドリング・ウィンドウ内のダウンリンク送信割当の合計数を示し、前記周波数ベースのＤＡＩは、前記バンドリング・ウィンドウに少なくとも１つのダウンリンク送信割当を有するダウンリンクのキャリアの合計数を示し、前記バンドリング・ウィンドウは、フィードバック通信のために、少数のアップリンク・サブフレームに割り当てられたダウンリンク・サブフレームのグループである、
前記１または複数のＤＡＩに基づいて、前記少なくとも１つの第２のキャリアに適用されたダウンリンク送信割当の数を判定するためのコードと、
を実行させるためのコンピュータ・プログラム。
【発明の詳細な説明】
【優先権主張】
【０００１】
本願は、２００９年６月２日に出願され「ＬＴＥ−Ａ  ＴＤＤシステムのためのＤＡＩ設計のシステムおよび方法」（SYSTEMS AND METHODS OF DAI DESIGN FOR LTE-A TDD SYSTEMS）と題された米国仮特許出願６１／１８３，４９６号の利益を主張する。上記出願の全体は、参照によって本明細書に組み込まれる。
【技術分野】
【０００２】
本開示は、一般に、無線通信に関し、さらに詳しくは、マルチ・キャリア無線通信環境におけるリソース割当を管理するための技術に関する。
【背景技術】
【０００３】
無線通信システムは、さまざまな通信サービスを提供するために広く開発され、例えば、音声、ビデオ、パケット・データ、ブロードキャスト、およびメッセージングといったサービスが、そのような無線通信システムによって提供されうる。これらのシステムは、利用可能なシステム・リソースを共有することにより、複数の端末のための通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
通常、無線多元接続通信システムは、複数の無線端末のための通信を同時にサポートすることができる。このようなシステムでは、おのおのの端末は、順方向リンクおよび逆方向リンクによる送信を介して、１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力（ＳＩＳＯ）システム、複数入力単一出力（ＭＩＳＯ）システム、または複数入力複数出力（ＭＩＭＯ）システム等によって確立されうる。
【０００５】
例えば、ＭＩＭＯシステムは、時分割デュプレクス（ＴＤＤ）システムおよび周波数デュプレクス（ＦＤＤ）システムをサポートしうる。ＴＤＤシステムでは、逆方向リンク・チャネルから順方向リンク・チャネルを推定可能にするために相互原理が使用されるように、順方向リンク送信と逆方向リンク送信とが、共有周波数領域においてなされうる。これによって、アクセス・ポイントにおいて複数のアンテナが利用可能である場合、アクセス・ポイントは、順方向リンクで送信ビーム・フォーミング・ゲインを実施できるようになる。
【０００６】
さらに、直交周波数分割多重化（ＯＦＤＭ）を利用するさまざまなＴＤＤシステムの場合、フィードバック通信のために、一般に、複数のダウンリンク・サブフレームが、１または複数のアップリンク・サブフレームと関連付けられうる。フィードバック通信のために、少数のアップリンク・サブフレームに割り当てられたダウンリンク・サブフレームのグループは、従来、バンドルリング・ウィンドウ（bundling window）と称される。したがって、バンドリング・ウィンドウ内のリソースで送信を受信するデバイスは、バンドリング・ウィンドウのために指定されたアップリンク・サブフレーム（単数または複数）でフィードバック動作を実行しうる。ＴＤＤシステム用の１つのタイプのフィードバック・モードは、アクノレッジメント（ＡＣＫ）／否定的アクノレッジメント（ＮＡＣＫ）メッセージングである。この場合、ダウンリンク・サブフレームのグルーピングは、ＡＣＫ／ＮＡＣＫバンドリング・ウィンドウと称されうる。このＡＣＫ／ＮＡＣＫバンドリング・ウィンドウ内でＵＥによって受信されたダウンリンク送信は、アップリンク・サブフレーム（単数または複数）でアクノレッジされる。無線信号のためのこのバンドリング・ウィンドウ設計によって、ダウンリンク信号リソースおよびアップリンク信号リソースをより効率的に利用できるようになり、無線通信システムを全体的に改善する。
【０００７】
少なくとも上記を考慮すると、実質的に効率的な方式で、マルチ・キャリア無線通信環境において、バンドリング・ウィンドウが割り当てられ、管理され、および／または、利用される技術を実現することが望ましいであろう。
【発明の概要】
【０００８】
以下は、このような態様の基本的な理解を与えるために、特許請求された主題のさまざまな態様の簡略化された概要を示す。この概要は、考えられるすべての態様の広範囲な概観ではなく、このような態様の重要要素や決定的要素を特定することも、範囲を線引きすることも意図されていない。この唯一の目的は、後に示されるより詳細な記載に対する前置きとして、開示された対応のいくつかの概念を、簡略化された形式で示すことである。
【０００９】
関連する態様によれば、本明細書において、方法が記載される。この方法は、無線通信システムにおける通信のために構成された複数のキャリアを識別することと、複数のキャリアにおける１または複数の第１のキャリアに関連付けられたダウンリンク送信割当の数を判定することと、複数のキャリアにおける少なくとも１または複数の第２のキャリアによる通信のために、少なくとも１または複数の第１のキャリアに関連付けられたダウンリンク送信割当の数を指定する少なくとも１つのインジケーションを設定することとを備えうる。
【００１０】
本明細書に記載された別の態様は、無線通信装置に関する。これは、無線通信システムにおける通信のために構成された複数のキャリアに関連するデータを格納するメモリを備えうる。この無線通信装置はさらに、複数のキャリアにおける１または複数の第１のキャリアに関連付けられたダウンリンク送信割当の数を判定し、複数のキャリアにおける１または複数の第２のキャリアによる通信のために、少なくとも１または複数の第１のキャリアに関連付けられたダウンリンク送信割当の数を指定する少なくとも１つのインジケーションを設定する、ように構成されたプロセッサを備えうる。
【００１１】
第３の態様は装置に関する。これは、無線通信システムに関連付けられた複数のキャリアと、これら複数のキャリアにおける少なくとも１つの第１のキャリアと、これら複数のキャリアにおける少なくとも１つの第２のキャリアとを識別する手段と、少なくとも１つの第１のキャリアに適用されたダウンリンク送信割当の数に関連する情報を取得する手段と、少なくとも１つの第１のキャリアに適用されたダウンリンク送信割当の数を指定する、少なくとも１つの第２のキャリアにおける送信のためのダウンリンク割当インデクス（ＤＡＩ）を生成する手段とを備えうる。
【００１２】
本明細書に記載された第４の態様は、コンピュータ読取可能媒体を含みうるコンピュータ・プログラム製品に関する。このコンピュータ読取可能媒体は、コンピュータに対して、無線通信システムに関連付けられた複数のキャリアと、これら複数のキャリアにおける少なくとも１つの第１のキャリアと、これら複数のキャリアにおける少なくとも１つの第２のキャリアとを識別させるためのコードと、コンピュータに対して、少なくとも１つの第１のキャリアに適用されたダウンリンク送信割当の数に関連する情報を取得させるためのコードと、コンピュータに対して、少なくとも１つの第１のキャリアに適用されたダウンリンク送信割当の数を指定する、少なくとも１つの第２のキャリアにおける送信のためのダウンリンク割当インデクス（ＤＡＩ）を生成させるためのコードとを備える。
【００１３】
第５の態様によれば、無線通信ネットワークとの通信のために構成された複数のキャリアを識別することと、これら複数のキャリアにおける少なくとも１または複数の第１のキャリアによって、無線通信ネットワークから送信割当シグナリングを取得することと、この送信割当シグナリングに基づいて、複数のキャリアにおける少なくとも１または複数の第２のキャリアに関連付けられたダウンリンク送信割当の数を判定することと、を備えうる方法が記載される。
【００１４】
本明細書に記載された第６の態様は、無線通信ネットワークとの通信のために構成された複数のキャリアに関連するデータを格納するメモリを備えうる無線通信装置に関する。この無線通信装置はさらに、これら複数のキャリアにおける少なくとも１または複数の第１のキャリアによって、無線通信ネットワークから送信割当シグナリングを取得し、この送信割当シグナリングに基づいて、複数のキャリアにおける少なくとも１または複数の第２のキャリアに関連付けられたダウンリンク送信割当の数を判定する、ように構成されたプロセッサを備えうる。
【００１５】
第７の態様は、無線通信ネットワークとの通信のために指定された複数のキャリアと、これら複数のキャリアにおける少なくとも１つの第１のキャリアと、これら複数のキャリアにおける少なくとも１つの第２のキャリアとを識別する手段と、少なくとも１つの第１のキャリアにおいて、無線通信ネットワークから１または複数のＤＡＩを取得する手段と、１または複数のＤＡＩに基づいて、少なくとも１つの第２のキャリアに適用されたダウンリンク送信割当の数を判定する手段とを備えうる装置に関する。
【００１６】
本明細書に記載された第８の態様は、コンピュータに対して、無線通信ネットワークとの通信のために指定された複数のキャリアと、これら複数のキャリアにおける少なくとも１つの第１のキャリアと、これら複数のキャリアにおける少なくとも１つの第２のキャリアとを識別させるためのコードと、コンピュータに対して、少なくとも１つの第１のキャリアで、無線通信ネットワークから１または複数のＤＡＩを取得させるためのコードと、コンピュータに対して、１または複数のＤＡＩに基づいて、少なくとも１つの第２のキャリアに適用されたダウンリンク送信割当の数を判定させるためのコードとを備えるコンピュータ読取可能媒体を含むコンピュータ・プログラム製品に関する。
【００１７】
前述した目的および関連する目的を達成するために、権利主張される主題のうちの１または複数は、後に十分に記載され特に特許請求の範囲において指摘される特徴を備えている。次の記載および添付図面は、権利主張される主題のある例示的な態様をより詳細に記載する。これらの態様は、権利主張される主題の原理が適用されるさまざまな方式のうちのわずかを示すにすぎない。さらに、開示された態様は、このような態様およびこれらの等価物をすべて含むように意図される。
【図面の簡単な説明】
【００１８】
【図１】図１は、さまざまな態様にしたがって、マルチ・キャリア無線通信環境におけるダウンリンク割当インジケーション・メッセージングの生成および処理を容易にするシステムのブロック図である。
【図２】図２は、さまざまな態様にしたがって、マルチ・キャリア通信を容易にする無線通信システムの例を例示する。
【図３】図３は、さまざまな態様にしたがって、マルチ・キャリア通信のためのフィードバックをサポートする無線通信環境の例を例示する。
【図４】図４は、さまざまな態様にしたがって、マルチ・キャリア通信のためのアップリンク・フィードバックをサポートするためのキャリア間および／またはその他のシグナリングを容易にするシステムのブロック図である。
【図５】図５は、無線通信システムで適用されうるダウンリンク割当インデクス（ＤＡＩ）設計の例を例示する。
【図６】図６は、本明細書で記載されたさまざまな態様にしたがうマルチ・キャリア無線環境のための高度なＤＡＩ設計のための技術を例示する。
【図７】図７は、本明細書で記載されたさまざまな態様にしたがうマルチ・キャリア無線環境のための高度なＤＡＩ設計のための技術を例示する。
【図８】図８は、本明細書で記載されたさまざまな態様にしたがうマルチ・キャリア無線環境のための高度なＤＡＩ設計のための技術を例示する。
【図９】図９は、マルチ・キャリア無線通信環境内でなされるダウンリンク送信割当を示すシグナリングを生成する方法のフロー図である。
【図１０】図１０は、マルチ・キャリア無線通信環境内でなされるダウンリンク送信割当を示すシグナリングを生成する方法のフロー図である。
【図１１】図１１は、マルチ・キャリア無線通信環境内でなされるダウンリンク送信割当を示すシグナリングを生成する方法のフロー図である。
【図１２】図１２は、マルチ・キャリア無線通信環境内でなされるダウンリンク送信割当を示すシグナリングを生成する方法のフロー図である。
【図１３】図１３は、マルチ・キャリア割当情報を含む送信割当シグナリングを処理する方法のフロー図である。
【図１４】図１４は、マルチ・キャリア無線通信システムにおけるダウンリンク割当インジケータ・シグナリングの生成および処理を容易にする装置のブロック図である。
【図１５】図１５は、マルチ・キャリア無線通信システムにおけるダウンリンク割当インジケータ・シグナリングの生成および処理を容易にする装置のブロック図である。
【図１６】図１６は、本明細書に記載されたさまざまな態様にしたがう無線多元接続通信システムを図示する。
【図１７】図１７は、本明細書に記載されたさまざまな態様が機能しうる無線通信システムの例を例示するブロック図である。
【発明を実施するための形態】
【００１９】
権利主張された主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、集積回路、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
さらに、さまざまな態様は、本明細書において、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ機器（ＵＥ）とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイントまたはノードＢ）は、１または複数のセクタを横切って、無線端末と、エア・インタフェースによって通信するアクセス・ネットワークにおけるデバイスを称しうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００２２】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２３】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００およびＵＭＢは、「第３世代パートナシップ計画２」（３ＧＰＰ２）からの文書に記載されている。
【００２４】
多くのデバイス、構成要素、モジュール等を含みうるシステムの観点から、さまざまな態様が示されるだろう。これらさまざまなシステムは、追加のデバイス、構成要素、およびモジュール等を含みうるが、図面に関連して説明されたデバイス、構成要素、モジュール等のうちのいくつかまたはすべてを省略しうることが理解および認識されるべきである。これらのアプローチの組み合わせもまた使用されうる。
【００２５】
図面を参照して示すように、図１は、本明細書に記載されたさまざまな態様にしたがって、マルチ・キャリア無線通信環境におけるダウンリンク割当インジケーション・メッセージングの生成および処理を容易にするシステム１００を例示する。図１が例示するように、システム１００は、１または複数の基地局１１０（ここでは、ノードＢまたはｅＮＢ、セルまたはネットワーク・セル、ノードまたはネットワーク・ノード、アクセス・ポイント（ＡＰ）等とも称される）を備えうる。これらは、それぞれのトランシーバ１１８を介して、（ここでは、アクセス端末（ＡＴ）、モバイルまたはユーザ局、モバイル・デバイス、モバイル端末等とも称される）１または複数のユーザ機器ユニット（ＵＥ）１２０と通信しうる。１つの態様によれば、基地局１１０は、ＵＥ１２０への１または複数のダウンリンク（ＤＬ、ここでは、順方向リンク（ＦＬ）とも称される）通信に従事し、ＵＥ１２０は、基地局１１０との１または複数のアップリンク（ＵＬ、ここでは、逆方向リンク（ＲＬ）とも称される）通信に従事しうる。それに加えて、または、その代わりに、基地局１１０および／またはＵＥ１２０は、互いとの、システム１００内の他のデバイスまたはエンティティとの、および／または、その他の適切なエンティティとの任意の適切な通信（単数または複数）に従事しうる。
【００２６】
１つの態様によれば、さまざまな無線通信システム（例えば、ＴＤＤシステム等）では、１つのＵＬサブフレームが、複数のＤＬサブフレームと関連付けられうる。このように、ＵＬサブフレームに関連付けられた複数のＤＬサブフレームは、ここで、当該技術では一般に、ＤＬサブフレーム・バンドリング・ウィンドウと称される。同じバンドリング・ウィンドウ内のＤＬ送信の場合、例えばアクノレッジメント／否定的アクノレッジメント（ＡＣＫ／ＮＡＫ）シグナリングのようなＵＬフィードバックは、対応するＵＬサブフレームにフィードバックされるように構成されうる。一例において、ＡＣＫ／ＮＡＫシグナリングは、期待された信号または受信された信号、あるいは、ＵＥ１２０において復調された１または複数の無線リソースに応じてなされ、関連付けられうる。適切に受信／期待された信号の例は、予め定めた数のデータ・パケット、予め定めた数の無線リソース（例えば、時間−周波数リソース、ＯＦＤＭシンボル、符号リソース、時間フレーム、またはサブフレーム等）等を含みうる。したがって、例として、ネットワーク・プロトコルは、データ・パケットのＮ回の受信について、Ｎ個のＤＬリソース・ブロックについて、または、時間長さＸの終了後、あるいは、これらのある組み合わせ（ここで、ＸとＮとは、負ではない整数）の場合に、ＡＣＫ／ＮＡＫを送信するようにＵＥ１２０を設定しうる。期待されたすべての信号またはパケットが受信されると、ＵＥ１２０は、ＡＣＫフィードバック信号を送信するか、そうでない場合には、ＮＡＫフィードバック信号を送信する。あるいは、例えば、自動反復要求（ＡＲＱ）シグナリング、ハイブリッドＡＲＱ（ＨＡＲＱ）シグナリング等のような他のタイプのフィードバックが適用されうる。
【００２７】
前述された例において、ＵＥ１２０によって利用されうるＡＣＫ／ＮＡＫフィードバック・モードの１つのタイプは、ＡＣＫ／ＮＡＫバンドリングと呼ばれる。ここでは、バンドリング・ウィンドウ内の複数のＡＣＫ／ＮＡＫが、（例えば、論理的ＡＮＤ演算を実行することによって）論理的に、１つのＡＣＫ／ＮＡＫへバンドルされる。それに加えて、あるいは、その代わりに、ＵＥ１２０によって利用されうるＡＣＫ／ＮＡＫフィードバックの別のタイプは、ＡＣＫ／ＮＡＫ多重化と呼ばれる。ここでは、最大４ビットのＡＣＫ／ＮＡＫがフィードバックされうる。
【００２８】
いくつかの場合、ＵＥ１２０は、リソース許可、および／または、その他の送信割当情報を提供する基地局１１０からの（例えば、物理ダウンリンク制御チャネル（ＰＤＣＣＨ）、および／または、その他の適切なチャネル、または、チャネルの組み合わせにおける）シグナリングを喪失しうることが認識されうる。したがって、ＵＥ１２０がこのようなシグナリングを喪失する場合、基地局１１０およびＵＥ１２０は、どれだけ多くのデータ送信（例えば、物理ダウンリンク共有チャネル（ＰＤＳＣＨ）送信等）がバンドリング・ウィンドウ内で実行されるべきかについて、異なる解釈をしうる。
【００２９】
したがって、このようなミスアライメントを解決および／または緩和するために、２ビットのダウンリンク割当インデクス（ＤＡＩ）フィールドが、システム１００内の制御シグナリングの送信のために利用されるＤＬダウンリンク制御情報（ＤＣＩ）フォーマット、および／または、さまざまなＵＬ  ＤＣＩフォーマットに関連付けられて利用されうる。例えば、基地局１１０は、バンドリング・ウィンドウ内のＤＬ割当の累積数を示すために、１または複数のＤＬ  ＤＣＩフォーマット内のＤＡＩフィールドを利用しうる。したがって、例によれば、バンドリング・ウィンドウ内の、割り当てられた第１のダウンリンク送信に対応するＤＡＩフィールドは、１つの割当を示し、バンドリング・ウィンドウ内の、第２のダウンリンク送信に対応するＤＡＩフィールドは、２つの割当を示しうる等である。それに加えて、あるいは、その代わりに、基地局１１０は、バンドリング・ウィンドウ内のＤＬ割当の総数を示すために、１または複数のＵＬ  ＤＣＩフォーマット内のＤＡＩフィールドを利用しうる。したがって、例によれば、ｎ個のダウンリンク送信がバンドリング・ウィンドウについて割り当てられるイベントでは、割り当てられたｎ個のダウンリンク送信のおのおのに対応するＤＡＩフィールドは、ｎ個の割当を示しうる。
【００３０】
別の態様によれば、ＴＤＤシステム、および／または、その他の適切な無線通信システムでは、ＵＥ１２０が、複数のＤＬサブフレームに対応する単一のＵＬサブフレームで情報をフィードバックするニーズがあるので、ＵＥ１２０は、いくつかの場合、所与のバンドリング・ウィンドウにおいていくつのＤＬ送信がスケジュールされているのかを知っている必要があることが認識されうる。さらに、いくつかの場合、所与のバンドリング・ウィンドウ内で、ＵＬ制御シグナリングを持っていることが保証されないことが認識されうる。このようなシグナリングが与えられ、ＵＥ１２０がこのシグナリングを正しく復号すると、基地局１１０およびＵＥ１２０は、対応するバンドリング・ウィンドウ内でのＤＬ送信の総数に関して、実質的に完全にアライメントされうることが認識されうる。したがって、ＤＬ制御シグナリングとともに提供されたＤＡＩの支援を受けて、ＵＥ１２０は、対応するＡＣＫ／ＮＡＫ情報を効率的にフィードバックしうる。あるいは、ＵＬ制御ＰＤＣＣＨ、および／または、その他の制御シグナリングが存在しないのであれば、ＵＥ１２０は、いくつかの場合、ＤＬ制御シグナリング内に与えられたＤＡＩフィールドに従うことが要求されうる。しかしながら、ＤＬシグナリングにおいてＤＡＩ情報が蓄積する性質によって、所与のバンドリング・ウィンドウ内の最後のＤＬ制御信号（単数または複数）が失われると、ＤＬデータ送信の総数に関し、基地局１１０とＵＥ１２０との間でミスアライメントが引き起こされ、効率的なＡＫＣ／ＮＡＫフィードバックを困難にする。基地局１１０とＵＥ１２０との間でＰＤＣＣＨで、および／または、その他の適切な制御チャネル間で送信されたＤＡＩ情報に関し、このような制御チャネルにおける送信は、いくつかの場合、ＡＣＫ／ＮＡＫシグナリング、および／または、その他の形態のシグナリングと比較して比較的高い許容喪失レート（例えば、約１％）を有しうることがさらに認識されうる。上記を考慮して、所与のバンドリング・ウィンドウ内のＡＣＫ／ＮＡＫパフォーマンスを向上するために、改良された技術を実施することが望ましいであろう。さらに、本明細書に記載されたように、ＤＡＩ送信および／または処理を向上するために、無線通信システムによって利用される複数のキャリアが導入されうる技術を実施することが望ましいであろう。
【００３１】
少なくとも上記を考慮すると、基地局１１０および／またはＵＥ１２０は、マルチ・キャリア・システムにおけるさまざまなキャリアに適用された送信割当の数を示すＤＡＩ、および／または、その他のインジケータの高度なシグナリングおよび処理を容易にするために、本明細書で記載されたようなさまざまな態様にしたがって動作しうる。例えば、基地局１１０は、無線通信システムにおける通信のために構成された複数のキャリアを識別するために、キャリア分析モジュール１１２、および／または、その他の適切なメカニズムを含みうる。さらに、基地局１１０は、複数のキャリアのうちの１または複数の第１のキャリアに関連付けられたＤＬ送信割当の数を判定するために、送信割当マネジャ１１４および／またはその他の適切なメカニズムを含みうる。さらに、基地局１１０は、複数のキャリアのうちの少なくとも１または複数の第２のキャリアによる（例えば、トランシーバ１１８を介した）通信のために、少なくとも１または複数の第１のキャリアに関連付けられたＤＬ送信割当の数を指定する少なくとも１つのインジケーションを設定しうる割当シグナリング生成器１１６を含みうる。一例において、１または複数の第２のキャリアは、１または複数の第１のキャリアとは異なりうる。
【００３２】
同様に、システム１００におけるＵＥ１２０は、基地局１１０、および／または、無線通信ネットワークに関連付けられた任意の適切なエンティティとの通信のために設定された複数のキャリアを識別しうるキャリア分析モジュール１１２を含みうる。ＵＥ１２０はさらに、送信割当アナライザ１２２等が、複数のキャリアのうちの少なくとも１または複数の第２のキャリアに関連付けられたＤＬ送信割当の数を判定しうることに基づいて、複数のキャリアのうちの少なくとも１または複数の第１のキャリアによって、基地局１１０から送信割当シグナリングを取得するトランシーバ１１８および／またはその他のメカニズムを含みうる。一例において、１または複数の第２のキャリアは、１または複数の第１のキャリアとは異なりうる。別の例において、基地局１１０からＵＥ１２０へ通信された送信割当シグナリングは、ＤＬ送信割当、および／または、ＵＬ送信割当を含みうる。
【００３３】
１つの態様によれば、基地局１１０における送信割当マネジャ１１４によって識別されたＤＬ送信割当の数は、（例えば、サブフレームの数、および／または、その他任意の適切な時間インクリメントに対応する）予め定義された期間にわたって１または複数の第１のキャリアに関連付けられたＤＬ送信割当の数でありうる。同様に、ＵＥ１２０における送信割当アナライザ１２２は、基地局１１０からのシグナリングに基づいて、予め定義された期間にわたって（このシグナリングが受信された１または複数の第１のキャリアとは異なる）１または複数の第２のキャリアに関連付けられたＤＬ送信割当の数
を判定するために利用されうる。
【００３４】
さまざまな態様によれば、基地局１１０は、このシグナリングが提供されるものとは別のキャリアに関連付けられた送信割当の数を示すために、さまざまなタイプのＤＡＩシグナリング、および／または、その他のインジケータ・シグナリングを、ＵＥ１２０へシグナルしうる。例えば、基地局１１０は、キャリア間ＤＡＩシグナリング、複数のＤＡＩシグナリング、アグリゲートＤＡＩシグナリング、および／または、その他任意の適切なシグナリング・タイプ（単数または複数）を利用しうる。このようなシグナリング・タイプのさまざまな例は、本明細書でさらに詳しく提供される。特に明示されていないのであれば、本明細書で提供された詳細説明および特許請求の範囲は、基地局１１０によって実行され、および／または、ＵＥ１２０によって処理されうる、どの特定のタイプのシグナリングにも限定されないことが認識されるべきである。
【００３５】
図２を参照して、さまざまな態様にしたがってマルチ・キャリア無線通信を容易にする典型的なシステム２００のブロック図が例示される。一例において、システム２００は、マルチ・キャリア無線通信に関連するフィードバック・シグナリングのための向上された信頼性を容易にする。その結果、システム２００は、（音声トラフィックであれデータ・トラフィックであれ）制御またはトラフィックの再送信の低減を達成し、もって、全体的な無線通信効率を高める。
【００３６】
図２に示すように、システム２００は、マルチ・キャリア無線リンク２１０を介してＵＥ１２０と通信可能に接続されうる基地局１１０を含みうる。マルチ・キャリア無線リンク２１０は、複数の個別のキャリア周波数を含みうる。図２は４つの個別のキャリアを示しているが、このような例示は、単なる一例として提供されたものであり、マルチ・キャリア無線リンク２１０のコンテキストにおいて適用されうるキャリアの数を限定するものとして考慮されることは意図されていないことが認識されるべきである。１つの態様によれば、基地局１１０とＵＥ１２０との間のＤＬ通信および／またはＵＬ通信は、マルチ・キャリア無線リンク２１０の個別のキャリアのうちの１または複数によって実行されうる。ＤＬ信号は、基地局１１０からＵＥ１２０へ送信され、例えば、制御信号（例えば、ＰＤＣＣＨ）、トラフィック信号（例えば、ＰＤＳＣＨ）等を含みうる。同様に、ＵＥ１２０から基地局１１０へ送信されたＵＬ信号は、制御信号（例えば、ＡＣＫ／ＮＡＫ、チャネル・フィードバック、スケジューリング要求、サウンディング基準信号（ＳＲＳ）等）、トラフィック信号（例えば、物理アップリンク共有チャネル（ＰＵＳＣＨ）シグナリング）、等を含みうる。
【００３７】
別の態様によれば、さまざまなＵＬ信号およびＤＬ信号が、マルチ・キャリア無線リンク２１０の個別のキャリアのうちのいずれか１つ、または、このような個別のキャリアのグループにおける送信のために、基地局１１０によって割り当てられうる。さらに、キャリア割当は、時間とともに変化しうる。例示的な例として、ＤＬ制御信号のセットは、１つの信号時間フレーム（例えば、フレーム、サブフレーム、時間スロット、サブスロット等）におけるキャリアの第１のサブセットで、次の信号時間フレームにおけるキャリアの第２のサブセットで、という具合に送信されうる。ＤＬ制御信号のセットに割り当てられたフィードバック信号も同様に、ＤＬ制御信号のために適用された同じキャリアのサブセットであるか、あるいは、異なるキャリアのサブセットでありうる、キャリアのサブセットに割り当てられうる。
【００３８】
（制御信号またはトラフィック信号の）ＤＬ送信は、基地局１１０によって、複数のキャリアで送信されうるので、ＵＥ１２０は、ＤＬ送信に対応する個々の信号がＵＥ１２０において受信されたかを判定するために、複数のキャリアをモニタするように構成されうることが認識されうる。その後、ＵＬフィードバック信号は、ＤＬ送信に応答して、ＵＥ１２０によって送信されうる。ＵＥ１２０がＤＬ送信の個々の信号をモニタし、受信することを支援するために、基地局１１０は、キャリアの少なくとも１つの追加のサブセットで送信されたＤＬ送信の信号の合計数を示すインジケーションを提供する第１のキャリアのサブセットでＤＡＩ２１２を送信しうる。このようなＤＡＩ２１２は、キャリア間ＤＡＩ、複数のＤＡＩのセット、アグリゲートＤＡＩ、および／または、ＤＡＩが送信されたもの以外のキャリア（単数または複数）でＤＬ送信割当を示すのに適切なその他任意の形態のシグナリングでありうる。それに加えて、あるいは、その代わりに、ＤＡＩ２１２は、キャリアの第１のサブセットで送信されるＤＬ送信の信号の合計数を識別するか、あるいは、この情報は、（図示しない）個別のＤＡＩで送信されうる。したがって、ＵＥ１２０は、ＤＬバンドリング・ウィンドウ内で受信されたＤＬ信号が、完全な送信（例えば、ＤＬ送信の個々の信号のすべて）、または、不完全な送信を備えうる。
【００３９】
前記に加えて、ＤＡＩ２１２は、所与のＤＬバンドリング・ウィンドウ内のＤＬ送信に対応するＵＬフィードバック２１４のシグナリグを調整するために、ＵＥ１２０によって適用されうる。ＵＬフィードバック２１４のシグナリングが実行される方式は、ＵＥ毎ベースまたはセル毎ベース等で基地局１１０によって設定された（例えば、ネットワーク規格等で指定されたような）デフォルト設定にしたがいうる。
【００４０】
１つの態様によれば、ＤＡＩ２１２は、ＤＡＩ２１２を送信するために基地局１１０によって適用される（ここでは、ＤＬ  ＤＡＩキャリアと称される）キャリア以外のシングル・キャリアに関連するＤＬシグナリング情報を備えうる。この場合、ＵＥ１２０は、シングル・キャリアのためＡＣＫ／ＮＡＫシグナリングを実行しうる。一例において、このようなＡＣＫ／ＮＡＫシグナリングは、例えば、シングル・キャリアにおけるＤＡＩ２１２に対応するすべての送信が受信されたか、または、受信されていないかを示すために、わずか１つのデータ・ビットしか用いずに達成されうる。あるいは、例えば、受信された特定の送信を指定するため、および／または、受信されていない特定の送信を指定するために、複数のデータ・ビットが利用されうる。
【００４１】
別の態様によれば、ＤＡＩ２１２は、ＤＬ  ＤＡＩキャリアを含むが、少なくとも１つの追加のキャリアも含む複数のキャリアのためのＤＬシグナリング情報を含みうる。この場合、ＤＡＩ２１２は、キャリア毎に１または複数の信号時間スロットを含む、複数のキャリアのための情報を指定しうる（ここで、信号時間スロットは、例えば、信号サブフレーム、信号サブスロット、信号フレームまたはスロット、またはその他の適切な時間ベースのＤＬ信号区分でありうる）。あるいは、複数のキャリアのうちの１または複数、キャリア毎の１または複数の時間スロット、あるいは、キャリアと信号時間スロットとのその他任意の適切な組み合わせについてＤＬシグナリング情報を提供する基地局１１０によって、複数のＤＡＩ２１２が送信されうる。
【００４２】
次に図３に移って、さまざまな態様にしたがってマルチ・キャリア無線通信を容易にするシステム３００の例が例示される。システム３００は、１または複数のＵＥ１２０と接続されうる基地局１１０を備えうる。さらに、基地局１１０は、ノード割当装置３０２を含むか、ノード割当装置３０２と通信可能に接続されうる。ノード割当装置３０２は、例えば、（例えば、１または複数のＵＬフィードバック・リソースに関連付けられた）個々のＤＬ送信がＤＬバンドリング・ウィンドウ内で割り当てられているそれぞれのキャリアを示す情報をＵＥ（単数または複数）１２０に提供することによって、マルチ・キャリア無線通信をサポートするように構成されうる。この情報は、ノード割当装置３０２によって明示的にシグナルされうるか、または、（例えば、最低または高次ではないレイヤ・シグナリングを用いた）ネットワーク仕様、および／または、その他任意の適切な方式で暗示的に指定されうる。
【００４３】
一例において、ノード割当装置３０２は、ＵＥ（単数または複数）１２０と通信するための通信（ｃｏｍｍ．）インタフェース３０４を備えうる。通信インタフェース３０４は、基地局１１０の送信−受信チェーンに対応しているか、または、この送信−受信チェーンを利用、または、この送信−受信チェーンと通信するように構成された個別の電子通信エンティティを含みうる。さらに、ノード割当装置３０２は、基地局１１０に関連付けられた無線ネットワーク内で動作するＵＥ（単数または複数）１２０のためのマルチ・キャリア無線サービスを容易にするように構成された命令群を格納するメモリ３１２と、これら命令群を実施するモジュールを実行するデータ・プロセッサ３１０とを備えうる。例えば、このようなモジュールは、第１の無線キャリアにおけるＤＬ送信のセットを、ＵＬフィードバック・リソースに関連付けるための無線メッセージ３１６を生成する参照モジュール３１４を含みうる。本明細書で記述されるように、この関連付けは、１または複数のＤＡＩを用いて確立されうる。さらに、ノード割当装置３０２は、無線メッセージを、（例えば、制御メッセージ３２０のような）無線信号の制御チャネル・リソースに符号化し、無線メッセージを第２の無線キャリアで１または複数のＵＥ（単数または複数）１２０へ送信する、送信モジュール３１８を備えうる。
【００４４】
１つの態様によれば、無線メッセージ３１６は、ＤＬ送信のセットがＵＥ（単数または複数）１２０へ送信される無線キャリアの合計数を指定しうる。一例において、無線メッセージ３１６はさらに、これら合計数の無線キャリアのうちのそれぞれのキャリアにおけるＤＬ送信のセットにおけるＤＬ送信（例えば、独立したＤＬ信号）の合計数を指定しうる。したがって、ＵＥ（単数または複数）１２０は、受信されたキャリア毎のＤＬ送信の数を容易に追跡し、これによって、基地局１１０とＵＥ（単数または複数）１２０との間の調整を改善し、ＵＥ（単数または複数）１２０によって送信されたフィードバック・シグナリングの信頼性が向上する。
【００４５】
別の態様によれば、（例えば、制御メッセージ３２０を送信するために適用されたキャリアである）第２の無線キャリアとは別のキャリア（および、オプションとして、第２の無線キャリアに加えて、別のキャリア）でのＤＬ送信に関する情報を伝送するために、さまざまなオプションが、制御メッセージ３２０によって利用されうる。一例において、無線メッセージ３１６は、第１の無線キャリアを識別する第１のデータ・フィールドと、ＵＬフィードバック・リソースに割り当てられ、第１の無線キャリアで送信されるＤＬ送信の合計数を指定する第２のデータ・フィールドとを含みうる。別の例では、無線メッセージ３１６は、参照モジュール３１４によって生成され、ＵＥ（単数または複数）１２０へ送信される無線メッセージのセットのうちの１つでありうる。これらおのおのは、無線キャリアのセットの１つのサブセットでそれぞれ送信されるＵＬフィードバック・リソースに割り当てられたＤＬ送信の合計数を指定しうる。この場合、参照モジュール３１４は、別の数の無線メッセージを生成し、これらを、無線キャリアのセットの別のサブセットに割り当てうる。一例として、無線メッセージのセットは、無線キャリアのセットのおのおのの無線キャリアについて１つの無線メッセージ３１６を備えうる。
【００４６】
一例において、それぞれの無線メッセージ３１６は、それぞれの無線キャリアのうちの１つのためのＤＬ送信の合計数を指定するキャリア間ＤＡＩを含みうる。あるいは、１または複数の無線メッセージ３１６は、複数のＤＡＩを備えうる。これらおのおのは、異なるキャリアのためのＤＬ送信の合計数を指定する。この場合の例として、無線メッセージのセットは、無線キャリアのセットの各アンカ・キャリアに対して１つである（ここで、アンカ・キャリアの数は、Ｍ以下である）、Ｎ個の無線メッセージを含みうる（ここで、Ｎは、正の整数であり、無線キャリアのセットの数Ｍ以下である）。無線メッセージのセットのうちの少なくとも１つは、オプションとして、実際には、非アンカ・キャリアのＤＬ送信を、対応するアンカ・キャリアのＤＬ送信とバンドルする、複数のＤＡＩを含みうる。別の代案として、無線メッセージ３１６は、複数の無線キャリアのためのＤＬ送信情報を（例えば、論理的ＡＮＤ演算を用いて）論理的にバンドルする１または複数のＤＡＩを含みうる。この代案では、参照モジュール３１４は、無線メッセージ３１６において、第１の無線キャリアにおけるＤＬ送信のセットの合計数に加えて、少なくとも１つの他の無線キャリアにおけるＤＬ送信の合計数を識別しうる。ＤＬ送信を識別する際に、無線メッセージ３１６は、ＤＬ送信情報を明示的にまたは暗黙的に伝送するために、代替フォーマットを適用しうる。１つの実例では、ＤＡＩは、ＤＬバンドリング・ウィンドウ内の合計の送信を指定しうる。別の例では、ＤＡＩは、ＤＬバンドリング・ウィンドウにわたって蓄積するＤＬ送信を指定しうる。
【００４７】
無線メッセージ３１６によって伝送されるべき情報量（例えば、どれだけのＤＡＩが含まれているか、どれだけのキャリアが指定されているか等）に依存して、このメッセージのために、異なる量のデータが確保される必要がある。これは、ネットワーク・ワイドな規格で、セル毎ベースまたはＵＥ毎ベース等で達成されうる。したがって、参照モジュール３１４は、基地局１１０を管理する制御規格または設定、および／または、その他任意の適切な要因に基づいて、無線メッセージ３１６のために多くのデータ・ビットを生成しうる。
【００４８】
別の例では、無線メッセージ３１６に対応するＤＬ送信は、マルチ・キャリア制御送信またはマルチ・キャリア・トラフィック送信の何れか、またはこれら両方を含みうる。したがって、例えば、前述したＤＬ送信のセットは、少なくとも部分的に第１の無線キャリアで送信されＵＥ（単数または複数）１２０を含んでいるデータ・トラフィック送信または音声トラフィック送信を備えうる。この場合、無線メッセージ３１６は、第１の無線キャリアにおけるＤＬ送信のセットで、ＤＬ送信の合計数をシグナルするために利用されうる。別の例として、ＤＬ送信のセットは、第１の無線キャリアで送信されＵＥ（単数または複数）１２０を含んでいる制御トラフィック送信を含みうる。これらの制御トラフィック送信は、オプションとして、（例えば、第２の無線キャリアまたは第３の無線キャリアのような）追加のキャリアで送信されたデータ・トラフィック信号または音声トラフィック信号に関連しうる。この場合、無線メッセージ３１６は、オプションとして、ＤＬ制御送信の合計数のみ、追加キャリアにおけるＤＬ音声／データ・トラフィック送信の合計数のみ、または、ＤＬ制御送信とＤＬ音声／データ・トラフィック送信との両方を指定しうる。無線メッセージ３１６が、データ／音声トラフィック送信、制御トラフィック送信、またはこれら両方に関連しているかは、無線ネットワークのための規格、メモリ３１２に格納されたセル特有またはＵＥ特有の構成、等において指定されうる。一例において、参照モジュール３１４は、無線メッセージ３１６を生成する場合、この規格を取得するために、メモリ３１２にアクセスしうる。
【００４９】
図４は、本明細書に示されたさまざまな態様にしたがって適用されうるさらなるシステム４００を図示する。システム４００は、マルチ・キャリア無線リンクによって基地局１１０に無線接続されうるＵＥ１２０を含みうる。さらに、ＵＥ１２０は、基地局１１０によって提供されたＤＡＩ信号に基づいて、改善されたフィードバック・シグナリングを提供しうるマルチ・キャリア・シグナル装置４０２を含みうる。
【００５０】
一例において、マルチ・キャリア・シグナル装置４０２は、基地局１１０と無線通信を交換する通信インタフェース３０４を備えうる。さらに、マルチ・キャリア・シグナル装置４０２は、マルチ・キャリア無線通信を容易にする命令群を格納するメモリ３１２のみならず、これらの命令群を実行する、および／または、そうではない場合、これらの命令群を実施するモジュールを実現するデータ・プロセッサ３１０を備えうる。動作中、基地局１１０は、ＵＥ１２０へ無線メッセージ４２２を送信しうる。この無線メッセージ４２２は、マルチ・キャリア無線リンクの１つのキャリアで送信され、マルチ・キャリア無線リンクのうちの少なくとも第２のキャリアに関連するＤＬバンドリング・ウィンドウ情報を提供しうる。ＤＬバンドリング・ウィンドウ情報は、本明細書で記載されるようなさまざまなフォーマットを有する１または複数のＤＡＩで指定されうる。
【００５１】
別の例では、マルチ・キャリア・シグナル装置４０２は、第１の無線キャリアを介して通信インタフェース３０４によって受信された信号から無線メッセージ４２２を抽出するフィルタリング・モジュール４１２を適用しうる。さらに、調停モジュール４１４が適用されうる。調停モジュール４１４は、無線メッセージ４２２を分析し、ＵＬフィードバック・リソースに割り当てられ第２の無線キャリアで受信されるべきである送信数を識別する。このようにして、マルチ・キャリア・シグナル装置４０２は、指定された送信数を求めて第２の無線キャリアをモニタし、この送信数が、ＵＥ１２０において正しく受信されたか否かを判定しうる。
【００５２】
１つの態様によれば、マルチ・キャリア・シグナル装置４０２は、マルチ・キャリア無線リンク、特に、無線メッセージ４２２において識別された少なくとも第２の無線キャリアにおいて、通信インタフェース３０４によって受信されたトラフィックをモニタするカウンティング・モジュール４１６を備えうる。さらに、カウンティング・モジュール４１６は、少なくとも第２の無線キャリアで受信されたＵＬフィードバック・リソースへ割り当てられた受信された送信の数の追跡および判定を行いうる。受信されたこれら送信の数は、調停モジュール４１４によって提供されたように、第２の無線キャリアにおける期待された送信数と比較されうる。マルチ・キャリア・シグナル装置４０２はさらに、第２の無線キャリアで送信数を受信するためのＮＡＫ期間を設定するタイミング・モジュール４１８を備えうる。１つの実例となる例では、ＮＡＫ期間は、ネットワーク仕様に含まれているか、または、基地局１１０によって指定されている、ＡＣＫ／ＮＡＫシグナリング４２４の応答時間に基づきうる。特定の、限定しない例によれば、この応答時間は、サブフレームＮにおける送信が、サブフレームＮ＋４においてＵＥ１２０によって応答されるように、４サブフレームとなりうる。あるいは、ＮＡＫ期間は、その他任意の適切な数の信号時間スロットとなりうる。
【００５３】
別の態様によれば、マルチ・キャリア・シグナル装置４０２、および／または、ＵＥ１２０に関連付けられたその他のメカニズムは、基地局１１０から（例えば、無線メッセージ４２２によって）取得されたＤＡＩ値を、基地局１１０からの、検出された受信されたＤＬ送信数と比較しうる。この比較に基づいて、レイヤ３（Ｌ３）設定された送信スキームおよび／または（例えば、バンドリング、多重化等のように）ＵＥ１２０によって利用されるその他任意の適切な送信スキーム、（例えば、物理アップリンク制御チャネル（ＰＵＣＣＨ）で、および、ＰＵＳＣＨにおけるピギーバック等のように）ＵＥ１２０によって利用される送信の物理レイヤ手段、およびＵＥ１２０は、基地局１１０へＡＣＫ／ＮＡＫシグナリング４２４を提供しうる。
【００５４】
ここでさらに説明するように、無線メッセージ４２２は、１または複数のキャリアに関連するＤＬシグナル情報をそれぞれ提供する１または複数のＤＡＩを備えうる。それぞれのＤＡＩ内のデータ・フィールドのサイズは、基地局１１０によって設定され、ＵＥ毎、セル毎、またはＤＡＩ毎に変動するか、または、ネットワーク・プロトコルによって確立された標準的なサイズでありうる。したがって、一例では、無線メッセージ４２２は、マルチ・キャリア無線通信のために適用されるおのおののキャリア、基地局１１０に利用可能なおのおののキャリア、または、ＵＥ１２０に割り当てられたおのおののキャリアを識別するために適切な数のデータ・ビットを含みうる。あるいは、無線メッセージ４２２は、マルチ・キャリア無線通信のために適用されるキャリアを数を識別するのに適切な数のデータ・ビット、基地局１１０に利用可能なキャリアの数、または、ＵＥ１２０に割り当てられたキャリアの数を含みうる。また別の場合、無線メッセージ４２２は、ＵＬ  ＤＣＩフォーマットとＤＬ  ＤＣＩフォーマットとのサイズ・マッチングに基づいて、制御チャネル・ブラインド復号を最小化するのに適切な数のデータ・ビットを含みうる。
【００５５】
無線メッセージ４２２（または、このような無線メッセージのセット）によってシグナルされた無線キャリアの数もまた変動しうる。そして、基地局１１０によって設定されうる。一例では、無線キャリアの数は、基地局１１０によって適用されたアンカ・キャリアの数に等しくなりうる。代替例では、無線キャリアの数は、基地局１１０に利用可能なキャリア、または、マルチ・キャリア無線通信のためにＵＥ１２０に割り当てられたキャリアの合計数以下でありうる。複数のキャリアが無線メッセージ４２２によってシグナルされる場合、おのおののキャリアについて１つで、複数のＤＡＩが、適用されうる。または、少なくともＤＡＩのサブセットが、ＤＬバンドリング・ウィンドウ内の複数のキャリアにおける送信数をシグナルしうる。したがって、無線メッセージ４２２は、一例において、多くの無線キャリアのおのおのについて、キャリア毎の送信数を指定する個別のデータ・フィールドを含みうる。あるいは、無線メッセージ４２２は、複数の多くの無線キャリアについて、キャリア毎の送信数のセットを指定する１または複数のアグリゲートされたデータ・フィールドを含みうる。
【００５６】
１つの態様によれば、マルチ・キャリア・シグナル装置４０２は、無線メッセージ４２２と、これに含まれるＤＡＩ（単数または複数）を解釈するために、ネットワーク構成または規格を適用しうる。さらに、フィルタリング・モジュール４１２は、無線メッセージ４２２内で指定され、少なくとも第２の無線キャリアを含む、無線キャリアの数を識別するネットワーク構成を取得しうる。さらに、調停モジュール４１４は、多くの無線キャリアのおのおののためにＵＬフィードバック・リソースに割り当てられたキャリア毎の送信数を識別するネットワーク構成を適用しうる。この態様は、例えば、無線メッセージ４２２が、それぞれのキャリアのためのＤＬ送信の数を指定する複数のＤＡＩ、または、同じことを行うために論理的ＡＮＤ演算を用いて設定される単一のＤＡＩを備える場合に実施されうる。
【００５７】
図１に再び示すように、いくつかの無線通信実施では、制御およびデータは常に、同じキャリアで配信されるように設定されうることが認識されうる。しかしながら、マルチ・キャリア動作の場合、制御およびデータが、別のキャリアから送信されることが可能でありうることが認識されうる。この方式で実行されるシグナリングは、少なくとも異なるキャリアにおいて（例えば、ＰＤＳＣＨ／ＰＵＳＣＨのような）データ・シグナリングに指示するために（例えば、ＰＤＣＣＨのような）制御シグナリングが使用される場合に、本明細書で参照され、当該技術では一般にキャリア間シグナリングと称される。一例において、マルチ・キャリア制御シグナリングは、０−３ビットからなる追加のキャリア・インジケータ・フィールドを持つシングル・キャリアのためのＤＣＩフォーマット（単数または複数）に基づいて、おのおのの成分キャリアのためのＵＬ許可およびＤＬ割当の個別の符号化を用いて生成されうる。０ビットの場合、キャリア・インジケータは、省略されうる。したがって、データ送信に応じたＵＬ  ＡＣＫ／ＮＡＫのキャリア関係は、（１）ＵＬ  ＡＣＫ／ＮＡＫのためのＵＬキャリアと、ＤＬデータのためのＤＬキャリアとが常に関連付けられているか、または、（２）ＵＬ  ＡＣＫ／ＮＡＫのためのＵＬキャリアと、ＤＬ制御のためのＤＬキャリアとが常に関連付けられている、２つのオプションを有しうることが認識されうる。
【００５８】
少なくとも上記説明に基づいて、ＵＬ割当におけるＤＡＩの存在によって、ＴＤＤシステムおよび／またはその他の適切なシステムのための効率的なＡＣＫ／ＮＡＫフィードバックが容易となりうることが認識されうる。しかしながら、さらに前述したように、ＵＥ１２０は、いくつかの場合、複数の成分キャリアで設定されうる。したがって、いくつかのケースでは、バンドリング・ウィンドウにわたるＤＬ割当の数を示す代わりに、ＤＡＩが、複数のキャリア（例えば、周波数）にわたるＤＬ割当の数を示す場合、シングル・キャリア・システムのＤＡＩの概念は、マルチ・キャリア・シナリオに拡張されうる。したがって、ＴＤＤシステムの場合、２つのＤＡＩが利用されうる。１つは、時間ベースのＤＡＩ（ＤＡＩ＿ｔｉｍｅ）であり、これは、所与のバンドリング・ウィンドウ内の合計の（すなわち、累積された）ＤＬ割当を示し、もう１つは、周波数ベースのＤＡＩ（ＤＡＩ＿ｆｒｅｑ）であり、これは、所与のＤＬサブフレーム・バンドリング・ウィンドウに少なくとも１つのＤＬ割当を有するＤＬキャリアの合計数を示す。このＤＡＩ構成は、図５の図解５００によってさらに詳細に例示される。
【００５９】
本明細書に記載されたさまざまな態様によれば、ＤＡＩシグナリングは、システム１００内で生成および／または処理され、これによって、所与のキャリアで提供されたＤＡＩシグナリングは、異なるキャリアに適用された特定数のＤＬ送信割当を提供し、もって、図解５００に例示される技術によるＤＡＩ設計がさらに改善される。本明細書で提供されたさまざまな例は、図解５００に例示される｛ＤＡＩ＿ｔｉｍｅ、ＤＡＩ＿ｆｒｅｑ｝構造の代わりに、または、補足的に利用されうることが認識されるべきである。
【００６０】
１つの態様によれば、システム１００における基地局１１０およびＵＥ１２０は、さまざまな態様に対応するＤＬ割当情報を表示および処理するために、キャリア間ＤＡＩシグナリングを利用しうる。したがって、例えば、基地局１００は、１または複数のキャリアを、関連付けられたＤＬ送信割当数に関連付けるインデクス情報（例えば、キャリア・インデクス・フィールド（ＣＩＦ）等）を含めるように、１または複数のキャリアのＤＬ送信割当数を示す少なくとも１つのインジケーションを設定しうる。同様に、ＵＥ１２０は、例えばＣＩＦ等のように、送信割当シグナリングで提供されたようなインデクス情報による送信割当シグナリングに対応する１または複数のキャリアを識別するために、送信割当アナライザ１２２および／またはその他の適切な手段を利用しうる。
【００６１】
例によれば、キャリア間ＤＡＩシグナリングは、以下のようにして、基地局１１０および／またはＵＥ１２０によって実施されうる。以下の例は、２キャリア割当を仮定しているが、本明細書で記述および例示された概念は、任意の適切な数のキャリアに適用されうることが認識されるべきである。一例において、ＵＥ１２０は、以下の２つのシナリオのために、Ｃ１およびＣ２によって示される２つの成分キャリアを用いて設定されうる。（１）Ｃ１におけるＤＬデータ送信（単数または複数）およびＣ２におけるＵＬデータ送信。（２）Ｃ１におけるバンドリング・ウィンドウにおける２つのＤＬデータ送信と、Ｃ２におけるバンドリング・ウィンドウにおける１つのＤＬデータ送信と、Ｃ２における１つのＵＬデータ送信。シナリオ（１）では、Ｃ２では対応するＤＬデータ送信がないので、Ｃ２においてＵＬデータ送信を割り当てるＤＬ制御シグナリングにおけるＤＡＩフィールドは、意味がないことが認識されうる。さらに、シナリオ（２）では、Ｃ１において２つのＤＬデータ送信があるが、Ｃ２では１つしかないので、Ｃ２ではなくＣ１におけるＤＬデータ送信の合計数を示すように構成されているのであれば、Ｃ２においてＵＬ送信を割り当てるＤＬ制御シグナリングにおけるＤＡＩフィールドがより有用となるであろうことが認識されうる。
【００６２】
上記両シナリオでは、Ｃ２におけるＵＬデータ送信を割り当てる、ＤＬシグナリングにおけるＤＡＩフィールドがまた、（例えば、ＤＡＩが、キャリア間インジケーションを提供できるように）別のキャリアについて、バンドリング・ウィンドウ内のＤＬデータ送信の合計数を示す場合、これは望ましいであろうことが認識されうる。あるいは、その他のキャリアＤＡＩ間シグナリングの場合も同様に望ましいであろうことが認識されうる。したがって、キャリア間ＤＡＩシグナリングは、以下のように実施されうる。おのおののＵＬ成分またはＤＬ成分について、ＵＥ１２０（または対応するセルについて）Ｍ個の成分キャリアが設定されているイベントでは、０乃至Ｎビットの範囲、ここで、Ｎ＝上限（ｌｏｇ２（Ｍ））、を有するＤＡＩのためにＣＩＦが導入されうる。このようにして生成および利用されうるキャリア間ＤＡＩシグナリングの例が、図６の図解６００によって例示されている。しかしながら、ＣＩＦ＿ＤＡＩのために利用されるビット数は、Ｍ個の成分キャリアの空間全体が取り扱われるように、上限（ｌｏｇ２（Ｍ））であることは必要とされない。代わりに、ＣＩＦ値は、キャリアのサブセット（例えば、アンカ・キャリア、および／または、その他任意の選択された適切なキャリアのグループ（単数または複数））、複数のキャリアからなる各グループ、および／または、その他任意の適切なＣＩＦ対キャリア・マッピングにのみ適応するように構成されうることが認識されるべきである。
【００６３】
特定の例示的な例によれば、ＣＩＦは、可能なＣＩＦ値のそれぞれのキャリアへのＵＥ特有のマッピングを容易にする固定３ビット・フィールドでありうる。したがって、例えば、値０００が、第１のキャリアを示すために利用され、値００１が、第２のキャリアを示すために利用され、値０１０が、第１のキャリアおよび第２のキャリアを示すために利用される等である。あるいは、任意の適切なＣＩＦ構成対キャリアのマッピングが利用されうることが認識されるべきである。
【００６４】
別の例では、ＣＩＦ＿ＤＡＩのために利用されるビット数は、ＤＬ  ＤＣＩフォーマットとＵＬ  ＤＣＩフォーマットとの間の可能なサイズ・マッチングを考慮することによって選択され、これによって、例えば、ＰＤＣＣＨブラインド復号、および／または、その他の適切な復号動作が、（例えば、同じＤＬ／ＵＬ  ＤＣＩフォーマット・サイズを有することによって）最小化されるようになる。例えば、ＤＬ  ＤＣＩがＬビットを有し、対応するＵＬ  ＤＣＩがサイズ・マッチング前にＬ−１ビットを有する場合、追加のゼロ・パディング・ビットが不要となるように、１ビットのＣＩＦ＿ＤＡＩが選択されうる。こうすることによって、キャリア間ＤＡＩシグナリングにおけるフレキシビリティと制御オーバヘッドとの間でのトレードオフが達成されうることが認識されうる。さらなる例では、ＣＩＦ＿ＤＡＩのために利用される所与のビット数について、ＵＥ１２０が、ラジオ・リソース制御（ＲＲＣ）エンティティおよび／またはその他の適切なメカニズムによって設定され、ＣＩＦ＿ＤＡＩによってアドレスされたキャリア（単数または複数）が識別される。さらなる例では、ＣＩＦ＿ＤＡＩのために利用されるビット数は、ＵＥ特有であるか、セル特有であるか、および／または、システム１００を通じて任意の適切な一様の方式または非一様の方式で決定されうる。
【００６５】
別の態様によれば、基地局１１０は、対応するＵＬ割当およびＤＬ割当において、複数のキャリアについて、複数のＤＡＩを送信することによって、複数のキャリアにおけるＤＬ送信割当を示すインジケーションのシグナリングを容易にする。このようにして実行されうる複数のＤＡＩシグナリングの例が、図７の図解７００によって例示されている。システム１００内の基地局１１０に関し、割当シグナリング生成器１１６および／またはその他の適切な関連付けられたモジュールは、関連付けられた複数のキャリアにおけるそれぞれのキャリアに関連付けられたＤＬ送信割当の数を指定するために、複数のインジケーションを設定することによって、複数のＤＡＩシグナリングを容易にする。このようなインジケーションが生成されると、これら複数のインジケーションが、トランシーバ１１８によって、１つの制御信号または多く（例えば、複数）の制御信号で送信されうる。制御信号は、例えば、ＰＤＣＣＨおよび／またはその他任意の適切なチャネル（単数または複数）によって通信されうる。複数の制御信号が利用されるイベントでは、制御信号は、１つのキャリアまたは多数（例えば、複数）のキャリアで送信されうる。
【００６６】
同様に、ＵＥ１２０では、上述したように、（１または複数のキャリアにおいて）１つの制御信号または複数の制御信号によって、基地局１１０によって提供された送信割当シグナリングを取得するために、トランシーバ１１８が利用されうる。送信割当シグナリングに基づいて、送信割当アナライザ１２２、および／または、ＵＥ１２０に関連付けられたその他のメカニズムは、関連付けられた複数のキャリアにおけるそれぞれのキャリアに関連付けられたＤＬ送信割当の数を判定しうる。
【００６７】
一例では、以下のように、ＵＬ割当またはＤＬ割当における複数のキャリアのために、複数のＤＡＩが、基地局１１０によって送信されうる。例えば、キャリア間ＤＡＩシグナリングについて上述したように、｛ＤＡＩ値、ＣＩＦ＿ＤＡＩ｝構造を利用する代わりに、基地局１１０は、おのおののＵＬ割当またはＤＬ割当において、Ｎ≦Ｍ個のＤＡＩを送信しうる。ここで、Ｍは、｛ＤＡＩ＿１，ＤＡＩ＿２，…，ＤＡＩ＿Ｎ｝等の形態をとる成分キャリアの数である。１つの態様によれば、｛ＤＡＩ＿１，ＤＡＩ＿２，…，ＤＡＩ＿Ｎ｝なるセットは、個々に符号化される（例えば、インジケーション・ベースで符号化される）か、または統合的に符号化されうる。
【００６８】
別の例において、Ｎ≦Ｍによって示唆されるように、ＤＡＩは、すべての場合において、Ｍ個すべての成分キャリアのために提供される必要はないことが認識されるべきである。代わりに、いくつかの場合、例えば、アンカ・キャリア、および／または、Ｍ以下でありうるその他任意のキャリア選択に関連付けられたＮ個のキャリアが選択されうる。さらなる例では、ＤＡＩが、所与のＵＥ１２０に割り当てられたすべて未満の成分キャリアのために提供されるイベントでは、ＵＥ１２０は、それぞれのＤＡＩをさまざまな方式でキャリアにマップするように動作可能でありうる。例えば、ＣＩＦ情報は、１または複数のＤＡＩに提供されうる。あるいは、ＵＥ１２０は、送信割当シグナリングにおいて提供されたＤＡＩの数と、ＤＡＩが参照するキャリアとの間にマッピングのセットを導入しうる。このようなマッピングは、固定マッピング（例えば、Ｌ３設定された固定マッピング）でありうるか、および／または、その他任意の適切な方式で構成されうる。さらなる例では、異なる数のＤＡＩのために、複数のマッピングが提供されうる。これによって、異なる数のＤＡＩ（例えば、２ＤＡＩ、３ＤＡＩ等）との送信割当シグナリングが、システム１００内で利用されうる異なるキャリアのセットに対応しうる。
【００６９】
さらに別の態様によれば、１または複数のＤＡＩ値が、対応するＵＬ割当における複数のキャリアをカバーする送信割当シグナリング内の基地局１１０によって提供されうる。これによって、ＤＡＩシグナリングが、周波数（例えば、複数のキャリア）および時間（例えば、ＤＬサブフレーム・バンドリング・ウィンドウ）にわたって収集されるようになる。このようにして構築されうる収集されたＤＡＩシグナリングの例が、図８の図解８００によって例示されている。システム１００における基地局１１０に関して、
送信割当マネジャ１１４および／またはその他の適切なモジュールが、１または複数の第１のキャリアと、１または複数の第２のキャリアとに関連付けられた、ＤＬ送信割当の合計数を指定する少なくとも１つのインジケーション（例えば、ＤＡＩ）を設定するために利用されうる。同様に、ＵＥ１２０では、受信した送信割当シグナリングに基づいて、１または複数の第１のキャリアと、１または複数の第２のキャリアとに関連付けられた、ＤＬ送信割当の合計数を判定するために、送信割当アナライザ１２２が利用されうる。１つの限定しない例の場合、基地局１１０によってＵＥ１２０へ提供された送信割当シグナリングは、システム１００内の１または複数のエンティティに関連付けられたキャリアのセットにおける実質的にすべてのキャリアに関連付けられたＤＬ送信割当の数を指定するインジケーションおよび／またはその他の情報を含みうる。
【００７０】
一例において、Ｍ個の成分キャリアが利用されるイベントでは、基地局１１０は、Ｋ≧１個のＤＡＩを構築しうる。ここで、おのおののＤＡＩは、Ｍ１＋Ｍ２＋・・・＋Ｍｋ＝Ｍになるように、Ｍｋ個のキャリアをカバーする。一例において、それぞれＫ個のＤＡＩは、任意の適切な一様または非一様な方式で、Ｍ個の成分キャリアにわたって固定的にまたは準固定的に分割されうる。したがって、例示によれば、５キャリア・システムでは、第１のＤＡＩが、キャリア１、キャリア２に対応し、第２のＤＡＩが、キャリア３、キャリア４に対応し、第３のＤＡＩが、キャリア５に対応しうる。しかしながら、任意の適切なマッピングが利用されうることが認識されるべきである。別の例では、前述したようにＫ＝１である特別な場合、ＵＬ割当またはＤＬ割当におけるＤＡＩは、すべてのキャリアにわたる、ＤＬサブフレーム・バンドリング・ウィンドウ内のＤＬ割当の合計数を示しうる。さらなる例では、上述したように、収集されたＤＡＩシグナリングは、ＤＡＩシグナリングを容易にするために、図６によって例示されたキャリア間ＤＡＩシグナリングに類似した方式でＣＩＦ情報を、図７によって示されたものに類似して複数のＤＡＩを、および／または、その他任意の適切な特性を利用しうる。
【００７１】
さらなる態様によれば、上述したように、ＵＬ  ＡＣＫ／ＮＡＫフィードバックのためにＵＥ１２０によって利用されるキャリアは、対応するＤＬデータ送信またはＤＬ制御送信（例えば、ＰＤＳＣＨまたはＰＤＣＣＨ等）に関連付けられうる。その結果、基地局１１０および／またはＵＥ１２０は、ＤＡＩシグナリング関連付けに関して少なくとも２つのオプションを導入しうることが認識されうる。第１の例では、ＤＡＩは、所与のキャリアにわたりＤＬデータ送信の数を常にカウントするように構成されうる。一方、第２の例では、いくつかのＤＬ制御が、異なるキャリアにわたってＤＬデータ送信をシグナルするが、ＤＡＩは、所与のキャリアにわたってＤＬ制御送信の数を常にカウントするように構成されうる。したがって、１つの態様によれば、ＵＥ１２０が、基地局１１０から受信した送信割当シグナリングから情報を取得できるように、基地局１１０は、１または複数のキャリアに関連付けられたＤＬデータ送信割当の数、または、ＤＬ制御信号送信割当の数のうちの少なくとも１つを判定しうる。一例において、ＤＡＩ関連付けのために利用されるオプションは、包括的なネットワーク仕様またはその他類似の手段、セル特有またはＵＥ特有の構成、および／または、その他任意の適切な方式によって、上述したオプションおよび／またはその他の適切なオプションから、基地局１１０および／またはＵＥ１２０によって選択されうる。
【００７２】
さらなる態様によれば、ＤＡＩのために利用されるビット数は、ＤＡＩが参照するキャリアを含むように導入されうる。したがって、ＤＡＩのペイロードに加えて、ＤＡＩのために利用されるビット数はさらに、上述した動作のうちの１または複数を容易にするために、基地局１１０および／またはＵＥ１２０によって利用されうることが認識されうる。一例において、Ｌ３設定されたマッピングおよび／またはその他の適切な手段が、上述した図７に関してＤＡＩの数を導入するための記載されたものと類似した方式で、それぞれのＤＡＩビット・サイズを、対応するキャリアにマップするために利用されうる。
【００７３】
図９乃至図１３に示すように、本明細書に記載されたさまざまな態様にしたがって実行されうるさまざまな方法がここで例示される。説明の単純化の目的のために、これら方法は、一連の動作として図示および説明されているが、これら方法は、これら動作の順序によって限定されず、いくつかの動作は、１または複数の態様にしたがって、別の順序で、および／または、本明細書で図示および記載されたものとは別の動作と同時に引き起こることが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００７４】
図９を参照して、マルチ・キャリア無線通信環境内でなされるダウンリンク送信割当を示すシグナリングを生成する第１の方法９００が例示される。方法９００は、例えば基地局（例えば、基地局１１０）、および／または、その他任意の適切なネットワーク・エンティティによって実行されうることが認識されるべきである。方法９００は、ブロック９０２で始まり、無線通信システムにおける通信のために構成された複数のキャリアが（例えば、キャリア分析モジュール１１２によって）識別される。ブロック９０４では、複数のキャリアにおける１または複数の第１のキャリアに関連付けられたＤＬ送信割当の数が（例えば、送信割当マネジャ１１４によって）判定される。ブロック９０６では、少なくとも１または複数の第１のキャリアに関連付けられたＤＬ送信割当の数を指定する少なくとも１つのインジケーションが、複数のキャリアのうちの少なくとも１つの第２のキャリアによる送信のために（例えば、割当シグナリング生成器１１６によって）設定される。
【００７５】
図１０は、マルチ・キャリア無線通信環境内でなされたダウンリンク送信割当を示すシグナリングを生成する第２の方法１０００のフロー図である。方法１０００は、たとえば、ｅＮＢおよび／またはその他任意の適切なネットワーク・エンティティによって実行されうることが認識されるべきである。方法１０００は、ブロック１００２で始まり、無線通信システムにおける通信のために構成された複数のキャリアが識別される。ブロック１００４では、複数のキャリアにおける１または複数の第１のキャリアに関連付けられたＤＬ送信割当の数が判定される。ブロック１００６では、少なくとも１または複数の第１のキャリアを、１または複数の第１のキャリアに関連付けられたＤＬ送信割当の数に関連付けるインデクス情報と、少なくとも１または複数の第１のキャリアに関連付けられたＤＬ送信割当の数を指定する少なくとも１つのインジケーションが設定される。
【００７６】
図１１に移って、マルチ・キャリア無線通信環境内でなされたダウンリンク送信割当を示すシグナリングを生成する第３の方法１１００である。方法１１００は、例えば、ネットワーク・セルおよび／またはその他任意の適切なネットワーク・エンティティによって実行されうる。方法１１００は、ブロック１１０２で始まり、無線通信システムにおける通信のために構成された複数のキャリアが識別される。ブロック１１０４では、１または複数の第１のキャリアを含む複数のキャリアにおけるそれぞれのキャリアに関連付けられたＤＬ送信割当の数が判定される。ブロック１１０６では、複数のキャリアにおけるそれぞれのキャリアに関連付けられたＤＬ送信割当の数を指定する複数のインジケーションが設定される。
【００７７】
図１２は、マルチ・キャリア無線通信環境内でなされたダウンリンク送信割当を示すシグナリングを生成する第４の方法１２００を例示する。方法１２００は、例えば、基地局および／またはその他任意の適切なネットワーク・エンティティによって実行されうる。方法１２００は、ブロック１２０２で始まり、ここでは、無線通信システムにおける通信のために構成された複数のキャリアが識別される。ブロック１２０４では、複数のキャリアのうちの実質的にすべてのキャリアに関連付けられたＤＬ送信割当の数を指定するインジケーションが設定される。
【００７８】
図１３に移って、マルチ・キャリア割当情報を含む送信割当シグナリングを処理する方法１３００が例示される。方法１３００は、例えば、ＵＥ（例えば、ＵＥ１２０）、および／または、その他任意の適切なネットワーク・エンティティによって実行されうる。方法１３００は、ブロック１３０２で始まり、ここでは、無線通信ネットワークとの通信のために構成された複数のキャリアが（例えば、キャリア分析モジュール１１２によって）識別される。ブロック１３１４では、送信割当シグナリングが、複数のキャリアのうちの少なくとも１または複数の第１のキャリアで（例えば、トランシーバ１１８を介して）無線通信ネットワークから取得される。ブロック１３０６では、複数のキャリアにおける少なくとも１または複数の第２のキャリアに関連付けられたＤＬ送信割当の数が、送信割当シグナリングに基づいて（例えば、送信割当アナライザ１２２によって）判定される。
【００７９】
次に図１４および図１５を参照して、本明細書に記載されたさまざまな態様にしたがって実施されうるそれぞれの装置１４００−１５００が例示される。装置１４００−１５００は、プロセッサ、ソフトウェア、またはこれらの組み合わせ（例えば、ファームウェア）によって実現される機能を表す機能ブロックでありうる機能ブロックを含むものとして示されることが認識されるべきである。
【００８０】
まず図１４を参照して、マルチ・キャリア無線通信システムにおけるダウンリンク割当インジケータ・シグナリングの生成および処理を容易にする第１の装置１４００が例示される。装置１４００は、基地局（例えば、基地局１１０）、および／または、その他任意の適切なネットワーク・エンティティによって実現され、無線通信システムに関連付けられた複数のキャリアと、これら複数のキャリアにおける少なくとも１つの第１のキャリアと、これら複数のキャリアにおける少なくとも１つの第２のキャリアとを識別するモジュール１４０２と、少なくとも１つの第１のキャリアに適用されたＤＬ送信割当の数に関連する情報を取得するモジュール１４０４と、少なくとも１つの第１のキャリアに適用されたＤＬ送信割当の数を指定する、少なくとも１つの第２のキャリアにおける送信のためのＤＡＩを生成するモジュール１４０６とを含みうる。
【００８１】
図１５は、マルチ・キャリア無線通信システムにおけるダウンリンク割当インジケータ・シグナリングの生成および処理を容易にする第２の装置１５００を例示する。装置１５００は、モバイル端末（例えば、ＵＥ１２０）、および／または、その他任意の適切なネットワーク・エンティティによって実現され、無線通信ネットワークとの通信のために指定された複数のキャリアと、これら複数のキャリアにおける少なくとも１つの第１のキャリアと、これら複数のキャリアにおける少なくとも１つの第２のキャリアとを識別するモジュール１５０２と、少なくとも１つの第１のキャリアにおいて、無線通信ネットワークから１または複数のＤＡＩを取得するモジュール１５０４と、１または複数のＤＡＩに基づいて、少なくとも１つの第２のキャリアに適用されたＤＬ送信割当の数を判定するモジュール１５０６とを含む。
【００８２】
図１６を参照して、無線多元接続通信システムの例示が、さまざまな態様にしたがって提供される。一例において、アクセス・ポイント１６００（ＡＰ）は、複数のアンテナ・グループを含んでいる。図１６に例示されるように、１つのアンテナ・グループは、アンテナ１６０４およびアンテナ１６０６を含むことができ、別のグループはアンテナ１６０８およびアンテナ１６１０を備えることができ、さらに別のグループはアンテナ１６１２およびアンテナ１６１４を含むことができる。図１６ではおのおののアンテナ・グループについて２つのアンテナしか例示されていないが、おのおののグループについて、それよりも多いか、あるいはそれよりも少ないアンテナが適用されうることが認識されるべきである。別の例において、アクセス端末１６１６は、アンテナ１６１２、１６１４と通信しうる。ここで、アンテナ１６１２、１６１４は、順方向リンク１６２０によってアクセス端末１６１６へ情報を送信し、逆方向リンク１６１８によってアクセス端末１６１６から情報を受信しうる。それに加えて、および／または、その代わりに、アクセス端末１６２２は、アンテナ１６０６、１６０８と通信しうる。ここで、アンテナ１６０６、１６０８は、順方向リンク１６２６によってアクセス端末１６２２へ情報を送信し、逆方向リンク１６２４によってアクセス端末１６２２から情報を受信しうる。周波数分割デュプレクス・システムでは、通信リンク１６１８、１６２０、１６２４、１６２６は、通信のために、異なる周波数を利用しうる。例えば、順方向リンク１６２０は、逆方向リンク１６１８によって使用されるものとは異なる周波数を使用しうる。
【００８３】
通信するように指定された領域および／またはアンテナのおのおののグループは、アクセス・ポイントのセクタと称されうる。１つの態様によれば、アクセス・ポイント１６００によってカバーされる領域のセクタ内のアクセス端末へ通信するために、複数のグループが設計されうる。順方向リンク１６２０および順方向リンク１６２６による通信では、アクセス・ポイント１６００の送信アンテナは、別々のアクセス端末１６１６、１６２２のための順方向リンクの信号対雑音比を向上するために、ビームフォーミングを適用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００８４】
例えばアクセス・ポイント１６００のようなアクセス・ポイントは、端末と通信するために使用される固定局でありえる。そして、基地局、ｅＮＢ、アクセス・ネットワーク、および／または、その他の適切な専門用語で称されうる。さらに、例えばアクセス端末１６１６またはアクセス端末１６２２のようなアクセス端末はまた、モバイル端末、ユーザ機器、無線通信デバイス、端末、無線端末、および／または、その他の適切な専門用語で称されうる。
【００８５】
図１７に示すように、本明細書に記載のさまざまな態様が機能しうる無線通信システム１７００の例が提供される。一例において、システム１７００は、送信機システム１７１０および受信機システム１７５０を含む複数入力複数出力（ＭＩＭＯ）システムである。しかしながら、送信機システム１７１０および／または受信機システム１７５０は、複数入力単数出力システムに適用することが可能であり、例えば、（例えば、基地局上の）複数の送信アンテナが、１または複数のシンボル・ストリームを、単一のアンテナ・デバイス（例えば、モバイル局）へ送信しうることが認識されるべきである。さらに、本明細書に記載された送信機システム１７１０および／または受信機システム１７５０の態様は、単一入力単一出力アンテナ・システムとの接続に利用されうることが認識されるべきである。
【００８６】
１つの態様によれば、多くのデータ・ストリームのトラフィック・データが、送信機システム１７１０において、データ・ソース１７１２から送信（ＴＸ）データ・プロセッサ１７１４へ提供される。一例において、その後、おのおののデータ・ストリームが、それぞれの送信アンテナ１７２４を介して送信されうる。それに加えて、ＴＸデータ・プロセッサ１７１４は、符号化されたデータを提供するために、トラフィック・データをフォーマットし、このデータ・ストリームのために選択された特定の符号化スキームに基づいて符号化し、インタリーブする。一例において、おのおののデータ・ストリームの符号化されたデータは、ＯＦＤＭ技術を用いてパイロット・データと多重化されうる。パイロット・データは一例として、既知の方法で処理される既知のデータ・パターンである。さらに、チャネル応答を推定するために、パイロット・データが、受信機システム１７５０において使用されうる。送信機システム１７１０に戻り、おのおののデータ・ストリームについて多重化されたパイロットおよび符号化されたデータは、変調シンボルを提供するために、おのおののデータ・ストリームについて選択された特定の変調スキーム（例えば、ＢＰＳＫ、ＱＰＳＫ、Ｍ−ＰＳＫ、またはＭ−ＱＡＭ）に基づいて変調（例えば、シンボル・マップ）されうる。一例において、おのおののデータ・ストリームのデータ・レート、符号化、および変調は、プロセッサ１７３０によって実行される命令群によって決定されうる。
【００８７】
次に、すべてのデータ・ストリームの変調シンボルが、ＴＸ  ＭＩＭＯプロセッサ１７２０に提供されうる。これはさらに、（例えば、ＯＦＤＭ用の）変調シンボルを処理しうる。ＴＸ  ＭＩＭＯプロセッサ１７２０はその後、ＮＴ個の変調シンボル・ストリームを、ＮＴ個の送信機（ＴＭＴＲ）１７２２ａ乃至１７２２ｔへ提供する。一例において、おのおののトランシーバ１７２２は、１または複数のアナログ信号を提供するために、それぞれのシンボル・ストリームを受信して処理する。おのおののトランシーバ１７２２は、その後さらに、ＭＩＭＯチャネルによる送信に適切な変調信号を提供するために、このアナログ信号を調整（例えば、増幅、フィルタ、およびアップコンバート）する。したがって、トランシーバ１７２２ａ乃至１７２２ｔからのＮＴ個の変調信号が、ＮＴ個のアンテナ１７２４ａ乃至１７２４ｔのそれぞれから送信されうる。
【００８８】
別の態様によれば、受信機システム１７５０において、送信された変調信号がＮＲ個のアンテナ１７５２ａ乃至１７５２ｒによって受信されうる。その後、おのおののアンテナ１７５２からの受信信号が、それぞれのトランシーバ１７５４へ提供される。一例において、おのおののトランシーバ１７５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。その後、ＲＸ  ＭＩＭＯ／データ・プロセッサ１７６０は、ＮＲ個のトランシーバ１７５４からＮＲ個のシンボル・ストリームを受信し、受信されたこれらシンボル・ストリームを、特定の受信機処理技術に基づいて処理して、ＮＴ個の「検出された」シンボル・ストリームを提供する。一例において、検出されたおのおののシンボル・ストリームは、対応するデータ・ストリームのために送信された変調シンボルの推定値であるシンボルを含みうる。ＲＸデータ・プロセッサ１７６０はその後、検出されたおのおののデータ・ストリームを、復調、デインタリーブ、および復号することに少なくとも部分的に基づいて、おのおののデータ・ストリームを処理し、対応するデータ・ストリームのためのトラフィック・データが復元される。したがって、ＲＸプロセッサ１７６０による処理は、送信機システム１７１０におけるＴＸ  ＭＩＭＯプロセッサ１７２０およびＴＸデータ・プロセッサ１７１４によって実行されたものに対して相補的でありうる。ＲＸプロセッサ１７６０は、さらに、処理されたシンボル・ストリームを、データ・シンク１７６４へ提供しうる。
【００８９】
１つの態様によれば、受信機における空間／時間処理の実行、電力レベルの調節、変調レートまたはスキームの変更、および／または、その他の適切な動作のために、ＲＸ  ＭＩＭＯ／データ・プロセッサ１７６０によって生成されたチャネル応答推定値が使用されうる。それに加えて、ＲＸプロセッサ１７６０はさらに、例えば、検出されたシンボル・ストリームの信号対雑音および干渉比（ＳＮＲ）のようなチャネル特性を推定しうる。ＲＸプロセッサ１７６０はその後、これら推定されたチャネル特性を、プロセッサ１７７０へ提供しうる。一例において、ＲＸプロセッサ１７６０および／またはプロセッサ１７７０はさらに、このシステムのための「動作」ＳＮＲの推定値を導出しうる。プロセッサ１７７０はその後、通信リンクおよび／または受信したデータ・ストリームに関する情報を備えうるチャネル状態情報（ＣＳＩ）を提供しうる。この情報は、例えば、動作中のＳＮＲを含みうる。ＣＳＩはその後、ＴＸデータ・プロセッサ１７１８によって処理され、変調器１７８０によって変調され、トランシーバ１７５４ａ乃至１７５４ｒによって調整され、送信機システム１７１０へ送り戻される。それに加えて、受信機システム１７５０におけるデータ・ソース１７１６が、ＴＸデータ・プロセッサ１７１８によって処理されるべき追加データを提供しうる。
【００９０】
送信機システム１７１０に戻り、受信機システム１７５０からの変調信号はその後、アンテナ１７２４によって受信され、トランシーバ１７２２によって調整され、復調器１７４０によって復調され、ＲＸデータ・プロセッサ１７４２によって処理されて、受信機システム１７５０によってレポートされたＣＳＩが復元される。一例において、レポートされたＣＳＩはその後、プロセッサ１７３０へ提供され、１または複数のデータ・ストリームのために使用されるべき符号化および変調スキームのみならずデータ・レートを決定するために使用されうる。決定された符号化および変調スキームはその後、量子化および／または受信機システム１７５０へのその後の送信のために、トランシーバ１７２２へ提供されうる。それに加えて、および／または、その代わりに、レポートされたＣＳＩは、ＴＸデータ・プロセッサ１７１４およびＴＸ  ＭＩＭＯプロセッサ１７２０のためのさまざまな制御を生成するために、プロセッサ１７３０によって使用されうる。別の例では、ＲＸデータ・プロセッサ１７４２によって処理されたＣＳＩおよび／またはその他の情報が、データ・シンク１７４４へ提供されうる。
【００９１】
一例において、送信機システム１７１０におけるプロセッサ１７３０および受信機システム１７５０におけるプロセッサ１７７０は、それぞれのシステムにおける動作を指示する。さらに、送信機システム１７１０におけるメモリ１７３２と、受信機システム１７５０におけるメモリ１７７２とが、プロセッサ１７３０、１７７０のそれぞれによって使用されるプログラム・コードとデータのためのストレージを提供する。さらに、受信機システム１７５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、および／または、「連続ヌルイング／等値化および干渉除去」受信機処理技術とも称される。「連続ヌルイング／等値化および干渉除去」受信機処理技術は、「連続干渉除去」または「連続除去」受信機処理技術とも称されうる。
【００９２】
本明細書に記載された態様は、ハードウェア、ソフトウェア、ファームウェア、ミドルウェア、マイクロコード、あるいはこれらの任意の組み合わせによって実現されうることが理解されるべきである。システムおよび／または方法が、ソフトウェア、ファームウェア、ミドルウェアまたはマイクロコード、プログラム・コードまたはコード・セグメントで実現される場合、それらは、記憶構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９４】
上述したものは、１または複数の態様の一例を含んでいる。もちろん、上述した態様を説明する目的で、構成要素または方法の考えられる全ての組み合わせを記述することは可能ではないが、当業者であれば、さまざまな態様のさらに多くの組み合わせおよび置き換えが可能であることを認識することができる。したがって、記載された態様は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
以下に本願発明の当初の特許請求の範囲に記載された発明を付記する。
［Ｃ１］
方法であって、
無線通信システムにおける通信のために構成された複数のキャリアを識別することと、
前記複数のキャリアにおける１または複数の第１のキャリアに関連付けられたダウンリンク送信割当の数を判定することと、
前記複数のキャリアにおける少なくとも１または複数の第２のキャリアによる通信のために、前記少なくとも１または複数の第１のキャリアに関連付けられたダウンリンク送信割当の数を指定する少なくとも１つのインジケーションを設定することと、
を備える方法。
［Ｃ２］
前記１または複数の第２のキャリアは、前記１または複数の第１のキャリアとは異なる、Ｃ１に記載の方法。
［Ｃ３］
前記少なくとも１つのインジケーションは、ダウンリンク割当インデクス（ＤＡＩ）シグナリングを備える、Ｃ１に記載の方法。
［Ｃ４］
前記設定することは、前記１または複数の第１のキャリアを、前記１または複数の第１のキャリアに関連付けられたダウンリンク送信割当の数に関連付けるインデクス情報を含むように、前記少なくとも１つのインジケーションを設定することを備える、Ｃ１に記載の方法。
［Ｃ５］
前記インデクス情報は、キャリア・インデクス・フィールド（ＣＩＦ）を備える、Ｃ４に記載の方法。
［Ｃ６］
前記設定することは、前記少なくとも１または複数の第１のキャリアに関連付けられたダウンリンク送信割当の合計数、または、前記少なくとも１または複数の第１のキャリアに関連付けられたダウンリンク送信割当の累積数、のうちの１または複数を指定するように、前記少なくとも１つのインジケーションを設定することを備える、Ｃ１に記載の方法。
［Ｃ７］
前記設定することは、前記１または複数の第１のキャリアと、前記１または複数の第２のキャリアとに関連付けられた、ダウンリンク送信割当の合計数を指定するように、前記少なくとも１つのインジケーションを設定する、Ｃ１に記載の方法。
［Ｃ８］
ダウンリンク送信割当またはアップリンク送信割当のうちの少なくとも１つによって、前記少なくとも１つのインジケーションを送信することをさらに備える、Ｃ１に記載の方法。
［Ｃ９］
前記設定することは、前記複数のキャリアにおけるそれぞれのキャリアに関連付けられたダウンリンク送信割当の数を指定するように、複数のインジケーションを設定することを備え、
前記それぞれのキャリアは、前記１または複数のキャリアを含む、Ｃ１に記載の方
法。
［Ｃ１０］
少なくとも１つの制御信号によって、前記複数のインジケーションを送信することをさらに備える、Ｃ９に記載の方法。
［Ｃ１１］
前記設定することはさらに、インジケーション毎の符号化、または、統合符号化のうちの１つを用いて、前記少なくとも１つの制御信号における送信のために、前記複数のインジケーションを符号化することを備える、Ｃ１０に記載の方法。
［Ｃ１２］
前記設定することは、前記複数のキャリアにおける実質的にすべてのキャリアに関連付けられたダウンリンク送信割当の数を指定するように、前記少なくとも１つのインジケーションを設定することを備える、Ｃ１に記載の方法。
［Ｃ１３］
前記判定することは、前記１または複数の第１のキャリアに関連付けられたダウンリンク制御信号送信割当の数、または、前記１または複数の第１のキャリアに関連付けられたダウンリンク・データ送信割当の数のうちの少なくとも１つを判定することを備える、Ｃ１に記載の方法。
［Ｃ１４］
無線通信装置であって、
無線通信システムにおける通信のために構成された複数のキャリアに関連するデータを格納するメモリと、
前記複数のキャリアにおける１または複数の第１のキャリアに関連付けられたダウンリンク送信割当の数を判定し、前記複数のキャリアにおける１または複数の第２のキャリアによる通信のために、前記少なくとも１または複数の第１のキャリアに関連付けられたダウンリンク送信割当の数を指定する、少なくとも１つのインジケーションを設定する、ように構成されたプロセッサと、
を備える無線通信装置。
［Ｃ１５］
前記１または複数の第２のキャリアは、前記１または複数の第１のキャリアとは異なる、Ｃ１４に記載の無線通信装置。
［Ｃ１６］
前記プロセッサはさらに、前記１または複数の第１のキャリアを、前記１または複数の第１のキャリアに関連付けられたダウンリンク送信割当の数に関連付けるインデクス情報を含むように、前記少なくとも１つのインジケーションを設定するように構成された、Ｃ１４に記載の無線通信装置。
［Ｃ１７］
前記プロセッサはさらに、前記１または複数の第１のキャリアと、前記１または複数の第２のキャリアとに関連付けられた、ダウンリンク送信割当の合計数を指定するように、前記少なくとも１つのインジケーションを設定するように構成された、Ｃ１４に記載の無線通信装置。
［Ｃ１８］
前記プロセッサはさらに、前記複数のキャリアにおけるそれぞれのキャリアに関連付けられたダウンリンク送信割当の数を指定するように、複数のインジケーションを設定するように構成され、
前記それぞれのキャリアは、前記１または複数のキャリアを含む、Ｃ１４に記載の無線通信装置。
［Ｃ１９］
装置であって、
無線通信システムに関連付けられた複数のキャリアと、前記複数のキャリアにおける少なくとも１つの第１のキャリアと、前記複数のキャリアにおける少なくとも１つの第２のキャリアとを識別する手段と、
前記少なくとも１つの第１のキャリアに適用されたダウンリンク送信割当の数に関連する情報を取得する手段と、
前記少なくとも１つの第１のキャリアに適用されたダウンリンク送信割当の数を指定する、少なくとも１つの第２のキャリアにおける送信のためのダウンリンク割当インデクス（ＤＡＩ）を生成する手段と、
を備える装置。
［Ｃ２０］
前記少なくとも１つの第１のキャリアは、前記少なくとも１つの第２のキャリアとは異なる、Ｃ１９に記載の装置。
［Ｃ２１］
前記生成する手段は、前記少なくとも１つの第１のキャリアを識別するキャリア・インデクス・フィールド（ＣＩＦ）を、前記ＤＡＩに関連付ける手段を備える、Ｃ１９に記載の装置。
［Ｃ２２］
前記生成する手段は、前記少なくとも１つの第１のキャリアと前記少なくとも１つの第２のキャリアとに適用された、ダウンリンク送信割当の合計数を指定するＤＡＩを生成する手段を備える、Ｃ１９に記載の装置。
［Ｃ２３］
前記生成する手段は、前記複数のキャリアのおける１または複数のキャリアの対応するそれぞれのセットに適用されたそれぞれのダウンリンク送信割当の数を指定する複数のＤＡＩを生成する手段を備える、Ｃ１９に記載の装置。
［Ｃ２４］
コンピュータ・プログラム製品であって、
コンピュータに対して、無線通信システムに関連付けられた複数のキャリアと、前記複数のキャリアにおける少なくとも１つの第１のキャリアと、前記複数のキャリアにおける少なくとも１つの第２のキャリアとを識別させるためのコードと、
コンピュータに対して、前記少なくとも１つの第１のキャリアに適用されたダウンリンク送信割当の数に関連する情報を取得させるためのコードと、
コンピュータに対して、前記少なくとも１つの第１のキャリアに適用されたダウンリンク送信割当の数を指定する、前記少なくとも１つの第２のキャリアにおける送信のためのダウンリンク割当インデクス（ＤＡＩ）を生成させるためのコードと、
を備えるコンピュータ読取可能媒体を備える、コンピュータ・プログラム製品。
［Ｃ２５］
前記少なくとも１つの第１のキャリアは、前記少なくとも１つの第２のキャリアとは異なる、Ｃ２４に記載のコンピュータ・プログラム製品。
［Ｃ２６］
方法であって、
無線通信ネットワークとの通信のために構成された複数のキャリアを識別することと、
前記複数のキャリアにおける少なくとも１または複数の第１のキャリアによって、前記無線通信ネットワークから送信割当シグナリングを取得することと、
前記送信割当シグナリングに基づいて、前記複数のキャリアにおける少なくとも１または複数の第２のキャリアに関連付けられたダウンリンク送信割当の数を判定することと、
を備える方法。
［Ｃ２７］
前記１または複数の第２のキャリアは、前記１または複数の第１のキャリアとは異なる、Ｃ２６に記載の方法。
［Ｃ２８］
前記判定することは、前記送信割当シグナリングにおいて提供されたダウンリンク割当インデクス（ＤＡＩ）シグナリングに基づいて、前記少なくとも１または複数の第２のキャリアに関連付けられたダウンリンク送信割当の数を判定することを備える、Ｃ２６に記載の方法。
［Ｃ２９］
前記判定することは、前記送信割当シグナリングにおいて提供されたインデクス情報によって、前記１または複数の第２のキャリアを識別することを備える、Ｃ２６に記載の方法。
［Ｃ３０］
前記インデクス情報は、キャリア・インデクス・フィールド（ＣＩＦ）を備える、Ｃ２９に記載の方法。
［Ｃ３１］
前記判定することは、前記少なくとも１または複数の第２のキャリアに関連付けられたダウンリンク送信割当の合計数、または、前記少なくとも１または複数の第２のキャリアに関連付けられたダウンリンク送信割当の累積数、のうちの１または複数を判定することを備える、Ｃ２６に記載の方法。
［Ｃ３２］
前記判定することは、前記送信割当シグナリングに基づいて、前記１または複数の第１のキャリアと、前記１または複数の第２のキャリアとに関連付けられた、ダウンリンク送信割当の合計数を判定することを備える、Ｃ２６に記載の方法。
［Ｃ３３］
前記送信割当シグナリングは、ダウンリンク送信割当またはアップリンク送信割当のうちの少なくとも１つを備える、Ｃ２６に記載の方法。
［Ｃ３４］
前記判定することは、前記送信割当シグナリングに基づいて、前記複数のキャリアにおけるそれぞれのキャリアに関連付けられたダウンリンク送信割当の複数の数を判定することを備え、
前記それぞれのキャリアは、前記１または複数の第２のキャリアを含む、Ｃ２６に記載の方法。
［Ｃ３５］
前記取得することは、前記送信割当シグナリングを含む少なくとも１つの制御信号を取得することを備える、Ｃ３４に記載の方法。
［Ｃ３６］
前記ダウンリンク送信割当の複数の数は、個別の符号化または統合符号化のうちの少なくとも１つによって、前記少なくとも１つの制御信号において符号化される、Ｃ３５に記載の方法。
［Ｃ３７］
前記判定することは、前記送信割当シグナリングに基づいて、前記複数のキャリアにおける実質的にすべてのキャリアに関連付けられたダウンリンク送信割当の数を判定することを備える、Ｃ２６に記載の方法。
［Ｃ３８］
前記判定することは、前記送信割当シグナリングに基づいて、ダウンリンク制御信号送信割当の数、または、前記１または複数の第２のキャリアに関連付けられたダウンリンク・データ送信割当の数のうちの少なくとも１つを判定することを備える、Ｃ２６に記載の方法。
［Ｃ３９］
無線通信装置であって、
無線通信ネットワークとの通信のために構成された複数のキャリアに関連するデータを格納するメモリと、
前記複数のキャリアにおける少なくとも１または複数の第１のキャリアによって、前記無線通信ネットワークから送信割当シグナリングを取得し、前記送信割当シグナリングに基づいて、前記複数のキャリアにおける少なくとも１または複数の第２のキャリアに関連付けられたダウンリンク送信割当の数を判定するように構成されたプロセッサと、
を備える無線通信装置。
［Ｃ４０］
前記１または複数の第２のキャリアは、前記１または複数の第１のキャリアとは異なる、Ｃ３９に記載の無線通信装置。
［Ｃ４１］
前記プロセッサはさらに、前記送信割当シグナリングにおいて提供されたインデクス情報によって、前記１または複数の第２のキャリアを識別するように構成された、Ｃ３９に記載の無線通信装置。
［Ｃ４２］
前記プロセッサはさらに、前記送信割当シグナリングに基づいて、前記１または複数の第１のキャリアと、前記１または複数の第２のキャリアとに関連付けられた、ダウンリンク送信割当の合計数を判定するように構成された、Ｃ３９に記載の無線通信装置。
［Ｃ４３］
前記プロセッサはさらに、前記送信割当シグナリングに基づいて、前記複数のキャリアにおけるそれぞれのキャリアに関連付けられたダウンリンク送信割当の複数の数を判定するように構成され、
前記それぞれのキャリアは、前記１または複数の第２のキャリアを含む、Ｃ３９に記載の無線通信装置。
［Ｃ４４］
装置であって、
無線通信ネットワークとの通信のために指定された複数のキャリアと、前記複数のキャリアにおける少なくとも１つの第１のキャリアと、前記複数のキャリアにおける少なくとも１つの第２のキャリアとを識別する手段と、
前記少なくとも１つの第１のキャリアにおいて、前記無線通信ネットワークから１または複数のダウンリンク割当インデクス（ＤＡＩ）を取得する手段と、
前記１または複数のＤＡＩに基づいて、前記少なくとも１つの第２のキャリアに適用されたダウンリンク送信割当の数を判定する手段と、
を備える装置。
［Ｃ４５］
前記少なくとも１つの第１のキャリアは、前記少なくとも１つの第２のキャリアとは異なる、Ｃ４４に記載の装置。
［Ｃ４６］
前記判定する手段は、
前記１または複数のＤＡＩにおけるキャリア・インデクス・フィールド（ＣＩＦ）を識別する手段と、
前記ＣＩＦに基づいて前記少なくとも１つの第２のキャリアを識別する手段とを備える、Ｃ４４に記載の装置。
［Ｃ４７］
前記判定する手段は、前記１または複数のＤＡＩに基づいて、前記少なくとも１つの第１のキャリアと、前記少なくとも１つの第２のキャリアとに適用されたダウンリンク送信割当の合計数を判定する手段を備える、Ｃ４４に記載の装置。
［Ｃ４８］
前記取得する手段は、複数のＤＡＩを取得する手段を備え、
前記判定する手段は、前記少なくとも１つの第２のキャリアを含む複数のキャリアにおけるそれぞれのキャリアに適用された複数のＤＡＩにおけるそれぞれのＤＡＩから、ダウンリンク送信割当のそれぞれの数を識別する手段を備える、Ｃ４４に記載の装置。
［Ｃ４９］
コンピュータ・プログラム製品であって、
コンピュータに対して、無線通信ネットワークとの通信のために指定された複数のキャリアと、前記複数のキャリアにおける少なくとも１つの第１のキャリアと、前記少なくとも１つの第１のキャリアとは異なる、前記複数のキャリアにおける少なくとも１つの第２のキャリアとを識別させるためのコードと、
コンピュータに対して、前記少なくとも１つの第１のキャリアにおいて、前記無線通信ネットワークから１または複数のダウンリンク割当インデクス（ＤＡＩ）を取得させるためのコードと、
コンピュータに対して、前記１または複数のＤＡＩに基づいて、前記少なくとも１つの第２のキャリアに適用されたダウンリンク送信割当の数を判定させるためのコードと、を備えるコンピュータ読取可能媒体を備える、コンピュータ・プログラム製品。
［Ｃ５０］
前記少なくとも１つの第１のキャリアは、前記少なくとも１つの第２のキャリアとは異なる、Ｃ４９に記載のコンピュータ・プログラム製品。
【図１】
0005678042.tif 000002
【図２】
0005678042.tif 000003
【図３】
0005678042.tif 000004
【図４】
0005678042.tif 000005
【図５】
0005678042.tif 000006
【図６】
0005678042.tif 000007
【図７】
0005678042.tif 000008
【図８】
0005678042.tif 000009
【図９】
0005678042.tif 000010
【図１０】
0005678042.tif 000011
【図１１】
0005678042.tif 000012
【図１２】
0005678042.tif 000013
【図１３】
0005678042.tif 000014
【図１４】
0005678042.tif 000015
【図１５】
0005678042.tif 000016
【図１６】
0005678042.tif 000017
【図１７】
0005678042.tif 000018